(57)【特許請求の範囲】
【請求項１】
少なくとも１枚のレンズ素子で構成されたレンズ群を複数有するズームレンズ系であって、
物体側から像側へと順に、
正のパワーを有し、４枚のレンズ素子からなる第１レンズ群と、
負のパワーを有する第２レンズ群と、
正のパワーを有する第３レンズ群と、
後続レンズ群とからなり、
前記後続レンズ群が、正のパワーを有する第４レンズ群であるか、又は、物体側から像側へと順に、正のパワーを有する第４レンズ群と負のパワーを有する第５レンズ群とであり、
前記第１レンズ群が、２枚の単レンズ素子を接合してなる接合レンズ素子１枚と、単レンズ素子２枚とからなり、
撮像時の広角端から望遠端へのズーミングの際に、少なくとも前記第１レンズ群を光軸に沿って移動させて変倍を行い、
以下の条件（１）、（５）及び（ａ−１）を満足する、ズームレンズ系：
０．３０＜ｆ１／ｆＴ＜０．７０  ・・・（１）
−９．０＜ｆ１／ｆ２＜−６．０  ・・・（５）
Ｚ＝ｆＴ／ｆＷ＞２０．５  ・・・（ａ−１）
ここで、
ｆ１：第１レンズ群の合成焦点距離、
ｆ２：第２レンズ群の合成焦点距離、
ｆＷ：広角端における全系の焦点距離、
ｆＴ：望遠端における全系の焦点距離
である。
【請求項２】
撮像時の広角端から望遠端へのズーミングの際に、第３レンズ群と第４レンズ群との間隔が増大するように各レンズ群を光軸に沿ってそれぞれ移動させて変倍を行う、請求項１に記載のズームレンズ系。
【請求項３】
第３レンズ群が、光軸に対して垂直方向に移動する、請求項１に記載のズームレンズ系。
【請求項４】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、請求項１に記載のズームレンズ系である、撮像装置。
【請求項５】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、請求項１に記載のズームレンズ系である、カメラ。
【発明の詳細な説明】
【技術分野】
【０００１】
本発明は、ズームレンズ系、撮像装置及びカメラに関する。特に本発明は、高解像度を有するのは勿論のこと、小型でありながら広角端での画角が８０°程度で広角撮影に充分に適応でき、しかも３０倍程度と極めて大きな変倍比を有するズームレンズ系、該ズームレンズ系を含む撮像装置、及び該撮像装置を備えたコンパクトなカメラに関する。
【背景技術】
【０００２】
近年、高画素のＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の固体撮像素子の開発が進み、これら高画素の固体撮像素子に対応した、高い光学性能を有する撮像光学系を含む撮像装置を備えたデジタルスチルカメラやデジタルビデオカメラ（以下、単に「デジタルカメラ」という）が急速に普及してきている。このような高い光学性能を有するデジタルカメラの中でも、特に、1台のデジタルカメラで広角域から高望遠域までの広い焦点距離範囲をカバーすることができる、変倍比が極めて高いズームレンズ系を搭載したカメラが、その利便性から強く要望されている。また、近年では、撮影範囲が広い広角域を持つズームレンズ系も求められている。
【０００３】
前記コンパクトタイプのデジタルカメラに対しては、例えば次のような種々のズームレンズ系が提案されている。
【０００４】
例えば特許文献１には、物体側から像側へと順に正負正正正の５つのレンズ群を有し、広角端と比較して望遠端で、第１、第２レンズ群の間隔が増大し、第２、第３レンズ群の間隔が減少し、第３、第４レンズ群の間隔が変化し、第４、第５レンズ群の間隔が変化し、第５レンズ群は変倍時固定であり、第２レンズ群は望遠端の方が像側に位置し、全系の広角端と望遠端での焦点距離と、各群の焦点距離と、第１、第２レンズ群の移動量とが特定の関係を満足するズームレンズが開示されている。
【０００５】
また特許文献２には、物体側から像側へと順に正負正正の４つのレンズ群を有し、変倍時に各レンズ群の間隔が変化し、第１レンズ群は像側に凸の軌跡で移動し、広角端と比較して望遠端で物体側に位置し、全系の広角端での焦点距離と、第１レンズ群の移動量とが特定の関係を満足するズームレンズが開示されている。
【０００６】
また特許文献３には、物体側から像側へと順に正負正正の４つのレンズ群を有し、変倍時に各レンズ群が移動し、広角端と比較して望遠端で、第１レンズ群が物体側に位置し、第４レンズ群は物体側に凸の軌跡で移動し、第３、第４レンズ群の広角端での結像倍率と、第３、第４レンズ群の望遠端での結像倍率が特定の関係を満足するズームレンズが開示されている。
【０００７】
また特許文献４には、物体側から像側へと順に正負正正の４つのレンズ群を有し、変倍時に少なくとも第１、第３レンズ群が移動し、第１レンズ群は広角端から望遠端への移動に際して物体側へ移動し、全系の広角端と望遠端の焦点距離と、第１、第３レンズ群の焦点距離と、第２レンズ群の移動量とが特定の関係を満足するズームレンズが開示されている。
【０００８】
また特許文献５には、物体側から像側へと順に正負正正の４つのレンズ群を有し、いずれかのレンズ群の間隔を変化させて変倍を行い、全系の広角端と望遠端の焦点距離と各レンズ群の焦点距離とが特定の関係を満足するズームレンズが開示されている。
【先行技術文献】
【特許文献】
【０００９】
【特許文献１】特開２００９−０４７９０３号公報
【特許文献２】特開２００９−０４２２７１号公報
【特許文献３】特開２００８−２９２７３３号公報
【特許文献４】特開２００７−００３５５４号公報
【特許文献５】特開２００６−１７１６５５号公報
【発明の概要】
【発明が解決しようとする課題】
【００１０】
しかしながら、前記特許文献１〜５に開示のズームレンズはいずれも、使用しているレンズ枚数の割には変倍比が小さく、また広角端での画角も小さく、近年のデジタルカメラにおける要求を満足し得るものではない。
【００１１】
本発明の目的は、高解像度を有するのは勿論のこと、小型でありながら広角端での画角が８０°程度で広角撮影に充分に適応でき、しかも３０倍程度と極めて大きな変倍比を有するズームレンズ系、該ズームレンズ系を含む撮像装置、及び該撮像装置を備えたコンパクトなカメラを提供することである。
【課題を解決するための手段】
【００１２】
上記目的の１つは、以下のズームレンズ系により達成される。すなわち本発明は、
少なくとも１枚のレンズ素子で構成されたレンズ群を複数有するズームレンズ系であって、
物体側から像側へと順に、
正のパワーを有し、４枚のレンズ素子からなる第１レンズ群と、
負のパワーを有する第２レンズ群と、
正のパワーを有する第３レンズ群と、
後続レンズ群とからなり、
前記後続レンズ群が、正のパワーを有する第４レンズ群であるか、又は、物体側から像側へと順に、正のパワーを有する第４レンズ群と負のパワーを有する第５レンズ群とであり、
前記第１レンズ群が、２枚の単レンズ素子を接合してなる接合レンズ素子１枚と、単レンズ素子２枚とからなり、
撮像時の広角端から望遠端へのズーミングの際に、少なくとも前記第１レンズ群を光軸に沿って移動させて変倍を行い、
以下の条件（１）、（５）及び（ａ−１）：
０．３０＜ｆ１／ｆＴ＜０．７０  ・・・（１）
−９．０＜ｆ１／ｆ２＜−６．０  ・・・（５）
Ｚ＝ｆＴ／ｆＷ＞２０．５  ・・・（ａ−１）
（ここで、
ｆ１：第１レンズ群の合成焦点距離、
ｆ２：第２レンズ群の合成焦点距離、
ｆＷ：広角端における全系の焦点距離、
ｆＴ：望遠端における全系の焦点距離
である）
を満足する、ズームレンズ系
に関する。
【００１３】
上記目的の１つは、以下の撮像装置により達成される。すなわち本発明は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
少なくとも１枚のレンズ素子で構成されたレンズ群を複数有し、
物体側から像側へと順に、
正のパワーを有し、４枚のレンズ素子からなる第１レンズ群と、
負のパワーを有する第２レンズ群と、
正のパワーを有する第３レンズ群と、
後続レンズ群とからなり、
前記後続レンズ群が、正のパワーを有する第４レンズ群であるか、又は、物体側から像側へと順に、正のパワーを有する第４レンズ群と負のパワーを有する第５レンズ群とであり、
前記第１レンズ群が、２枚の単レンズ素子を接合してなる接合レンズ素子１枚と、単レンズ素子２枚とからなり、
撮像時の広角端から望遠端へのズーミングの際に、少なくとも前記第１レンズ群を光軸に沿って移動させて変倍を行い、
以下の条件（１）、（５）及び（ａ−１）：
０．３０＜ｆ１／ｆＴ＜０．７０  ・・・（１）
−９．０＜ｆ１／ｆ２＜−６．０  ・・・（５）
Ｚ＝ｆＴ／ｆＷ＞２０．５  ・・・（ａ−１）
（ここで、
ｆ１：第１レンズ群の合成焦点距離、
ｆ２：第２レンズ群の合成焦点距離、
ｆＷ：広角端における全系の焦点距離、
ｆＴ：望遠端における全系の焦点距離
である）
を満足するズームレンズ系である、撮像装置
に関する。
【００１４】
上記目的の１つは、以下のカメラにより達成される。すなわち本発明は、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
少なくとも１枚のレンズ素子で構成されたレンズ群を複数有し、
物体側から像側へと順に、
正のパワーを有し、４枚のレンズ素子からなる第１レンズ群と、
負のパワーを有する第２レンズ群と、
正のパワーを有する第３レンズ群と、
後続レンズ群とからなり、
前記後続レンズ群が、正のパワーを有する第４レンズ群であるか、又は、物体側から像側へと順に、正のパワーを有する第４レンズ群と負のパワーを有する第５レンズ群とであり、
前記第１レンズ群が、２枚の単レンズ素子を接合してなる接合レンズ素子１枚と、単レンズ素子２枚とからなり、
撮像時の広角端から望遠端へのズーミングの際に、少なくとも前記第１レンズ群を光軸に沿って移動させて変倍を行い、
以下の条件（１）、（５）及び（ａ−１）：
０．３０＜ｆ１／ｆＴ＜０．７０  ・・・（１）
−９．０＜ｆ１／ｆ２＜−６．０  ・・・（５）
Ｚ＝ｆＴ／ｆＷ＞２０．５  ・・・（ａ−１）
（ここで、
ｆ１：第１レンズ群の合成焦点距離、
ｆ２：第２レンズ群の合成焦点距離、
ｆＷ：広角端における全系の焦点距離、
ｆＴ：望遠端における全系の焦点距離
である）
を満足するズームレンズ系である、カメラ
に関する。
【発明の効果】
【００１５】
本発明によれば、高解像度を有するのは勿論のこと、小型でありながら広角端での画角が８０°程度で広角撮影に充分に適応でき、しかも３０倍程度と極めて大きな変倍比を有するズームレンズ系を提供することができる。さらに本発明によれば、該ズームレンズ系を含む撮像装置、及び該撮像装置を備えた薄型で極めてコンパクトなカメラを提供することができる。
【図面の簡単な説明】
【００１６】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施例１に係るズームレンズ系の望遠端における、像ぶれ補正を行っていない基本状態及び像ぶれ補正状態での横収差図
【図４】実施の形態２（実施例２）に係るズームレンズ系の無限遠合焦状態を示すレンズ配置図
【図５】実施例２に係るズームレンズ系の無限遠合焦状態の縦収差図
【図６】実施例２に係るズームレンズ系の望遠端における、像ぶれ補正を行っていない基本状態及び像ぶれ補正状態での横収差図
【図７】実施の形態３（実施例３）に係るズームレンズ系の無限遠合焦状態を示すレンズ配置図
【図８】実施例３に係るズームレンズ系の無限遠合焦状態の縦収差図
【図９】実施例３に係るズームレンズ系の望遠端における、像ぶれ補正を行っていない基本状態及び像ぶれ補正状態での横収差図
【図１０】実施の形態４（実施例４）に係るズームレンズ系の無限遠合焦状態を示すレンズ配置図
【図１１】実施例４に係るズームレンズ系の無限遠合焦状態の縦収差図
【図１２】実施例４に係るズームレンズ系の望遠端における、像ぶれ補正を行っていない基本状態及び像ぶれ補正状態での横収差図
【図１３】実施の形態５（実施例５）に係るズームレンズ系の無限遠合焦状態を示すレンズ配置図
【図１４】実施例５に係るズームレンズ系の無限遠合焦状態の縦収差図
【図１５】実施例５に係るズームレンズ系の望遠端における、像ぶれ補正を行っていない基本状態及び像ぶれ補正状態での横収差図
【図１６】実施の形態６（実施例６）に係るズームレンズ系の無限遠合焦状態を示すレンズ配置図
【図１７】実施例６に係るズームレンズ系の無限遠合焦状態の縦収差図
【図１８】実施例６に係るズームレンズ系の望遠端における、像ぶれ補正を行っていない基本状態及び像ぶれ補正状態での横収差図
【図１９】実施の形態７（実施例７）に係るズームレンズ系の無限遠合焦状態を示すレンズ配置図
【図２０】実施例７に係るズームレンズ系の無限遠合焦状態の縦収差図
【図２１】実施例７に係るズームレンズ系の望遠端における、像ぶれ補正を行っていない基本状態及び像ぶれ補正状態での横収差図
【図２２】実施の形態８（実施例８）に係るズームレンズ系の無限遠合焦状態を示すレンズ配置図
【図２３】実施例８に係るズームレンズ系の無限遠合焦状態の縦収差図
【図２４】実施例８に係るズームレンズ系の望遠端における、像ぶれ補正を行っていない基本状態及び像ぶれ補正状態での横収差図
【図２５】実施の形態９（実施例９）に係るズームレンズ系の無限遠合焦状態を示すレンズ配置図
【図２６】実施例９に係るズームレンズ系の無限遠合焦状態の縦収差図
【図２７】実施例９に係るズームレンズ系の望遠端における、像ぶれ補正を行っていない基本状態及び像ぶれ補正状態での横収差図
【図２８】実施の形態１０（実施例１０）に係るズームレンズ系の無限遠合焦状態を示すレンズ配置図
【図２９】実施例１０に係るズームレンズ系の無限遠合焦状態の縦収差図
【図３０】実施例１０に係るズームレンズ系の望遠端における、像ぶれ補正を行っていない基本状態及び像ぶれ補正状態での横収差図
【図３１】実施の形態１１（実施例１１）に係るズームレンズ系の無限遠合焦状態を示すレンズ配置図
【図３２】実施例１１に係るズームレンズ系の無限遠合焦状態の縦収差図
【図３３】実施例１１に係るズームレンズ系の望遠端における、像ぶれ補正を行っていない基本状態及び像ぶれ補正状態での横収差図
【図３４】実施の形態１２に係るデジタルスチルカメラの概略構成図
【発明を実施するための形態】
【００１７】
（実施の形態１〜１１）
図１、４、７、１０、１３、１６、１９、２２、２５、２８及び３１は、各々実施の形態１〜１１に係るズームレンズ系のレンズ配置図である。なお、本明細書において、実施の形態９及び１０は、参考の実施の形態である。
【００１８】
図１、４、７、１０、１３、１６、１９、２２、２５、２８及び３１は、いずれも無限遠合焦状態にあるズームレンズ系を表している。各図において、（ａ）図は広角端（最短焦点距離状態：焦点距離ｆW）のレンズ構成、（ｂ）図は中間位置（中間焦点距離状態：焦点距離ｆM＝√（ｆW＊ｆT））のレンズ構成、（ｃ）図は望遠端（最長焦点距離状態：焦点距離ｆT）のレンズ構成をそれぞれ表している。また各図において、（ａ）図と（ｂ）図との間に設けられた直線乃至曲線の矢印は、広角端から中間位置を経由して望遠端への、各レンズ群の動きを示す。さらに各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１９】
なお図１、４、７、１０、１３、１６、１９、２２、２５、２８及び３１において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表し、該像面Ｓの物体側（実施の形態１〜４及び６〜１１では、像面Ｓと第４レンズ群Ｇ４の最像側レンズ面との間、実施の形態５では、像面Ｓと第５レンズ群Ｇ５の最像側レンズ面との間）には、光学的ローパスフィルタや撮像素子のフェースプレート等と等価な平行平板Ｐが設けられている。
【００２０】
さらに図１、４、７、１０、１３、１６、１９、２２、２５、２８及び３１において、第２レンズ群Ｇ２と第３レンズ群Ｇ３との間に開口絞りＡが設けられている。該開口絞りＡは、撮像時の広角端から望遠端へのズーミングの際に、実施の形態１〜４、６、７及び９〜１１では、各レンズ群と独立して光軸上を移動し、実施の形態５及び８では、第３レンズ群Ｇ３と一体的に光軸上を移動する。
【００２１】
図１に示すように、実施の形態１に係るズームレンズ系において、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３と、物体側に凸面を向けた正メニスカス形状の第４レンズ素子Ｌ４とからなる。これらのうち、第１レンズ素子Ｌ１と第２レンズ素子Ｌ２とが接合されており、後述する対応数値実施例における面データでは、これら第１レンズ素子Ｌ１と第２レンズ素子Ｌ２との間の接着剤層に面番号２が付与されている。
【００２２】
実施の形態１に係るズームレンズ系において、第２レンズ群Ｇ２は、物体側から像側へと順に、物体側に凸面を向けた負メニスカス形状の第５レンズ素子Ｌ５と、両凹形状の第６レンズ素子Ｌ６と、物体側に凸面を向けた正メニスカス形状の第７レンズ素子Ｌ７と、物体側に凸面を向けた正メニスカス形状の第８レンズ素子Ｌ８とからなる。これらのうち、第６レンズ素子Ｌ６と第７レンズ素子Ｌ７とが接合されており、後述する対応数値実施例における面データでは、これら第６レンズ素子Ｌ６と第７レンズ素子Ｌ７との間の接着剤層に面番号１２が付与されている。また、第５レンズ素子Ｌ５は、その両面が非球面である。
【００２３】
実施の形態１に係るズームレンズ系において、第３レンズ群Ｇ３は、物体側から像側へと順に、両凸形状の第９レンズ素子Ｌ９と、両凸形状の第１０レンズ素子Ｌ１０と、両凹形状の第１１レンズ素子Ｌ１１と、両凸形状の第１２レンズ素子Ｌ１２とからなる。これらのうち、第１０レンズ素子Ｌ１０と第１１レンズ素子Ｌ１１とが接合されており、後述する対応数値実施例における面データでは、これら第１０レンズ素子Ｌ１０と第１１レンズ素子Ｌ１１との間の接着剤層に面番号２２が付与されている。また、第９レンズ素子Ｌ９は、その物体側面が非球面である。
【００２４】
実施の形態１に係るズームレンズ系において、第４レンズ群Ｇ４は、物体側から像側へと順に、両凸形状の第１３レンズ素子Ｌ１３と、像側に凸面を向けた負メニスカス形状の第１４レンズ素子Ｌ１４とからなる。これら第１３レンズ素子Ｌ１３と第１４レンズ素子Ｌ１４とは接合されており、後述する対応数値実施例における面データでは、これら第１３レンズ素子Ｌ１３と第１４レンズ素子Ｌ１４との間の接着剤層に面番号２８が付与されている。
【００２５】
なお、実施の形態１に係るズームレンズ系において、像面Ｓの物体側（像面Ｓと第１４レンズ素子Ｌ１４との間）には、平行平板Ｐが設けられている。
【００２６】
実施の形態１に係るズームレンズ系において、撮像時の広角端から望遠端へのズーミングの際に、第１レンズ群Ｇ１は物体側へ移動し、第２レンズ群Ｇ２は、像側に凸の軌跡を描いて像側へ移動し、開口絞りＡは物体側へ移動し、第３レンズ群Ｇ３は物体側へ移動し、第４レンズ群Ｇ４は、物体側に凸の軌跡を描いて物体側へ移動する。すなわち、ズーミングに際して、第１レンズ群Ｇ１と第２レンズ群Ｇ２との間隔が増大し、第２レンズ群Ｇ２と開口絞りＡとの間隔が減少し、開口絞りＡと第３レンズ群Ｇ３との間隔が減少し、第３レンズ群Ｇ３と第４レンズ群Ｇ４との間隔が増大するように、各レンズ群が光軸に沿ってそれぞれ移動する。
【００２７】
また、無限遠合焦状態から近接合焦状態へのフォーカシング時には、第４レンズ群Ｇ４が光軸に沿って物体側へと移動する。
【００２８】
図４に示すように、実施の形態２に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３と、物体側に凸面を向けた正メニスカス形状の第４レンズ素子Ｌ４とからなる。これらのうち、第１レンズ素子Ｌ１と第２レンズ素子Ｌ２とが接合されており、後述する対応数値実施例における面データでは、これら第１レンズ素子Ｌ１と第２レンズ素子Ｌ２との間の接着剤層に面番号２が付与されている。
【００２９】
実施の形態２に係るズームレンズ系において、第２レンズ群Ｇ２は、物体側から像側へと順に、物体側に凸面を向けた負メニスカス形状の第５レンズ素子Ｌ５と、両凹形状の第６レンズ素子Ｌ６と、物体側に凸面を向けた正メニスカス形状の第７レンズ素子Ｌ７と、物体側に凸面を向けた正メニスカス形状の第８レンズ素子Ｌ８とからなる。これらのうち、第６レンズ素子Ｌ６と第７レンズ素子Ｌ７とが接合されており、後述する対応数値実施例における面データでは、これら第６レンズ素子Ｌ６と第７レンズ素子Ｌ７との間の接着剤層に面番号１２が付与されている。また、第５レンズ素子Ｌ５は、その両面が非球面である。
【００３０】
実施の形態２に係るズームレンズ系において、第３レンズ群Ｇ３は、物体側から像側へと順に、両凸形状の第９レンズ素子Ｌ９と、両凸形状の第１０レンズ素子Ｌ１０と、両凹形状の第１１レンズ素子Ｌ１１と、両凸形状の第１２レンズ素子Ｌ１２とからなる。これらのうち、第１０レンズ素子Ｌ１０と第１１レンズ素子Ｌ１１とが接合されており、後述する対応数値実施例における面データでは、これら第１０レンズ素子Ｌ１０と第１１レンズ素子Ｌ１１との間の接着剤層に面番号２２が付与されている。また、第９レンズ素子Ｌ９は、その物体側面が非球面である。
【００３１】
実施の形態２に係るズームレンズ系において、第４レンズ群Ｇ４は、物体側から像側へと順に、両凸形状の第１３レンズ素子Ｌ１３と、像側に凸面を向けた負メニスカス形状の第１４レンズ素子Ｌ１４とからなる。これら第１３レンズ素子Ｌ１３と第１４レンズ素子Ｌ１４とは接合されており、後述する対応数値実施例における面データでは、これら第１３レンズ素子Ｌ１３と第１４レンズ素子Ｌ１４との間の接着剤層に面番号２８が付与されている。
【００３２】
なお、実施の形態２に係るズームレンズ系において、像面Ｓの物体側（像面Ｓと第１４レンズ素子Ｌ１４との間）には、平行平板Ｐが設けられている。
【００３３】
実施の形態２に係るズームレンズ系において、撮像時の広角端から望遠端へのズーミングの際に、第１レンズ群Ｇ１は物体側へ移動し、第２レンズ群Ｇ２は、像側に凸の軌跡を描いて像側へ移動し、開口絞りＡは物体側へ移動し、第３レンズ群Ｇ３は物体側へ移動し、第４レンズ群Ｇ４は、物体側に凸の軌跡を描いて物体側へ移動する。すなわち、ズーミングに際して、第１レンズ群Ｇ１と第２レンズ群Ｇ２との間隔が増大し、第２レンズ群Ｇ２と開口絞りＡとの間隔が減少し、開口絞りＡと第３レンズ群Ｇ３との間隔が減少し、第３レンズ群Ｇ３と第４レンズ群Ｇ４との間隔が増大するように、各レンズ群が光軸に沿ってそれぞれ移動する。
【００３４】
また、無限遠合焦状態から近接合焦状態へのフォーカシング時には、第４レンズ群Ｇ４が光軸に沿って物体側へと移動する。
【００３５】
図７に示すように、実施の形態３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、両凸形状の第３レンズ素子Ｌ３と、物体側に凸面を向けた正メニスカス形状の第４レンズ素子Ｌ４とからなる。これらのうち、第１レンズ素子Ｌ１と第２レンズ素子Ｌ２とが接合されており、後述する対応数値実施例における面データでは、これら第１レンズ素子Ｌ１と第２レンズ素子Ｌ２との間の接着剤層に面番号２が付与されている。
【００３６】
実施の形態３に係るズームレンズ系において、第２レンズ群Ｇ２は、物体側から像側へと順に、物体側に凸面を向けた負メニスカス形状の第５レンズ素子Ｌ５と、両凹形状の第６レンズ素子Ｌ６と、物体側に凸面を向けた正メニスカス形状の第７レンズ素子Ｌ７と、物体側に凸面を向けた正メニスカス形状の第８レンズ素子Ｌ８とからなる。これらのうち、第６レンズ素子Ｌ６と第７レンズ素子Ｌ７とが接合されており、後述する対応数値実施例における面データでは、これら第６レンズ素子Ｌ６と第７レンズ素子Ｌ７との間の接着剤層に面番号１２が付与されている。また、第５レンズ素子Ｌ５は、その両面が非球面である。
【００３７】
実施の形態３に係るズームレンズ系において、第３レンズ群Ｇ３は、物体側から像側へと順に、両凸形状の第９レンズ素子Ｌ９と、両凸形状の第１０レンズ素子Ｌ１０と、両凹形状の第１１レンズ素子Ｌ１１と、両凸形状の第１２レンズ素子Ｌ１２とからなる。これらのうち、第１０レンズ素子Ｌ１０と第１１レンズ素子Ｌ１１とが接合されており、後述する対応数値実施例における面データでは、これら第１０レンズ素子Ｌ１０と第１１レンズ素子Ｌ１１との間の接着剤層に面番号２２が付与されている。また、第９レンズ素子Ｌ９は、その物体側面が非球面である。
【００３８】
実施の形態３に係るズームレンズ系において、第４レンズ群Ｇ４は、物体側から像側へと順に、両凸形状の第１３レンズ素子Ｌ１３と、像側に凸面を向けた負メニスカス形状の第１４レンズ素子Ｌ１４とからなる。これら第１３レンズ素子Ｌ１３と第１４レンズ素子Ｌ１４とは接合されており、後述する対応数値実施例における面データでは、これら第１３レンズ素子Ｌ１３と第１４レンズ素子Ｌ１４との間の接着剤層に面番号２８が付与されている。
【００３９】
なお、実施の形態３に係るズームレンズ系において、像面Ｓの物体側（像面Ｓと第１４レンズ素子Ｌ１４との間）には、平行平板Ｐが設けられている。
【００４０】
実施の形態３に係るズームレンズ系において、撮像時の広角端から望遠端へのズーミングの際に、第１レンズ群Ｇ１は物体側へ移動し、第２レンズ群Ｇ２は、像側に凸の軌跡を描いて像側へ移動し、開口絞りＡは物体側へ移動し、第３レンズ群Ｇ３は物体側へ移動し、第４レンズ群Ｇ４は、物体側に凸の軌跡を描いて物体側へ移動する。すなわち、ズーミングに際して、第１レンズ群Ｇ１と第２レンズ群Ｇ２との間隔が増大し、第２レンズ群Ｇ２と開口絞りＡとの間隔が減少し、開口絞りＡと第３レンズ群Ｇ３との間隔が減少し、第３レンズ群Ｇ３と第４レンズ群Ｇ４との間隔が増大するように、各レンズ群が光軸に沿ってそれぞれ移動する。
【００４１】
また、無限遠合焦状態から近接合焦状態へのフォーカシング時には、第４レンズ群Ｇ４が光軸に沿って物体側へと移動する。
【００４２】
図１０に示すように、実施の形態４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、両凸形状の第３レンズ素子Ｌ３と、物体側に凸面を向けた正メニスカス形状の第４レンズ素子Ｌ４とからなる。これらのうち、第１レンズ素子Ｌ１と第２レンズ素子Ｌ２とが接合されており、後述する対応数値実施例における面データでは、これら第１レンズ素子Ｌ１と第２レンズ素子Ｌ２との間の接着剤層に面番号２が付与されている。
【００４３】
実施の形態４に係るズームレンズ系において、第２レンズ群Ｇ２は、物体側から像側へと順に、物体側に凸面を向けた負メニスカス形状の第５レンズ素子Ｌ５と、両凹形状の第６レンズ素子Ｌ６と、物体側に凸面を向けた正メニスカス形状の第７レンズ素子Ｌ７と、物体側に凸面を向けた正メニスカス形状の第８レンズ素子Ｌ８とからなる。これらのうち、第６レンズ素子Ｌ６と第７レンズ素子Ｌ７とが接合されており、後述する対応数値実施例における面データでは、これら第６レンズ素子Ｌ６と第７レンズ素子Ｌ７との間の接着剤層に面番号１２が付与されている。また、第５レンズ素子Ｌ５は、その両面が非球面である。
【００４４】
実施の形態４に係るズームレンズ系において、第３レンズ群Ｇ３は、物体側から像側へと順に、両凸形状の第９レンズ素子Ｌ９と、両凸形状の第１０レンズ素子Ｌ１０と、両凹形状の第１１レンズ素子Ｌ１１と、両凸形状の第１２レンズ素子Ｌ１２とからなる。これらのうち、第１０レンズ素子Ｌ１０と第１１レンズ素子Ｌ１１とが接合されており、後述する対応数値実施例における面データでは、これら第１０レンズ素子Ｌ１０と第１１レンズ素子Ｌ１１との間の接着剤層に面番号２２が付与されている。また、第９レンズ素子Ｌ９は、その物体側面が非球面である。
【００４５】
実施の形態４に係るズームレンズ系において、第４レンズ群Ｇ４は、物体側から像側へと順に、両凸形状の第１３レンズ素子Ｌ１３と、像側に凸面を向けた負メニスカス形状の第１４レンズ素子Ｌ１４とからなる。これら第１３レンズ素子Ｌ１３と第１４レンズ素子Ｌ１４とは接合されており、後述する対応数値実施例における面データでは、これら第１３レンズ素子Ｌ１３と第１４レンズ素子Ｌ１４との間の接着剤層に面番号２８が付与されている。
【００４６】
なお、実施の形態４に係るズームレンズ系において、像面Ｓの物体側（像面Ｓと第１４レンズ素子Ｌ１４との間）には、平行平板Ｐが設けられている。
【００４７】
実施の形態４に係るズームレンズ系において、撮像時の広角端から望遠端へのズーミングの際に、第１レンズ群Ｇ１は物体側へ移動し、第２レンズ群Ｇ２は、像側に凸の軌跡を描いて像側へ移動し、開口絞りＡは物体側へ移動し、第３レンズ群Ｇ３は物体側へ移動し、第４レンズ群Ｇ４は、物体側に凸の軌跡を描いて像側へ移動する。すなわち、ズーミングに際して、第１レンズ群Ｇ１と第２レンズ群Ｇ２との間隔が増大し、第２レンズ群Ｇ２と開口絞りＡとの間隔が減少し、開口絞りＡと第３レンズ群Ｇ３との間隔が減少し、第３レンズ群Ｇ３と第４レンズ群Ｇ４との間隔が増大するように、各レンズ群が光軸に沿ってそれぞれ移動する。
【００４８】
また、無限遠合焦状態から近接合焦状態へのフォーカシング時には、第４レンズ群Ｇ４が光軸に沿って物体側へと移動する。
【００４９】
図１３に示すように、実施の形態５に係るズームレンズ系において、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３と、物体側に凸面を向けた正メニスカス形状の第４レンズ素子Ｌ４とからなる。これらのうち、第１レンズ素子Ｌ１と第２レンズ素子Ｌ２とが接合されており、後述する対応数値実施例における面データでは、これら第１レンズ素子Ｌ１と第２レンズ素子Ｌ２との間の接着剤層に面番号２が付与されている。
【００５０】
実施の形態５に係るズームレンズ系において、第２レンズ群Ｇ２は、物体側から像側へと順に、物体側に凸面を向けた負メニスカス形状の第５レンズ素子Ｌ５と、両凹形状の第６レンズ素子Ｌ６と、物体側に凸面を向けた正メニスカス形状の第７レンズ素子Ｌ７と、物体側に凸面を向けた正メニスカス形状の第８レンズ素子Ｌ８とからなる。これらのうち、第６レンズ素子Ｌ６と第７レンズ素子Ｌ７とが接合されており、後述する対応数値実施例における面データでは、これら第６レンズ素子Ｌ６と第７レンズ素子Ｌ７との間の接着剤層に面番号１２が付与されている。また、第５レンズ素子Ｌ５は、その両面が非球面である。
【００５１】
実施の形態５に係るズームレンズ系において、第３レンズ群Ｇ３は、物体側から像側へと順に、両凸形状の第９レンズ素子Ｌ９と、両凸形状の第１０レンズ素子Ｌ１０と、両凹形状の第１１レンズ素子Ｌ１１と、両凸形状の第１２レンズ素子Ｌ１２とからなる。これらのうち、第１０レンズ素子Ｌ１０と第１１レンズ素子Ｌ１１とが接合されており、後述する対応数値実施例における面データでは、これら第１０レンズ素子Ｌ１０と第１１レンズ素子Ｌ１１との間の接着剤層に面番号２１が付与されている。また、第９レンズ素子Ｌ９は、その物体側面が非球面である。
【００５２】
実施の形態５に係るズームレンズ系において、第４レンズ群Ｇ４は、物体側から像側へと順に、両凸形状の第１３レンズ素子Ｌ１３と、像側に凸面を向けた負メニスカス形状の第１４レンズ素子Ｌ１４とからなる。これら第１３レンズ素子Ｌ１３と第１４レンズ素子Ｌ１４とは接合されており、後述する対応数値実施例における面データでは、これら第１３レンズ素子Ｌ１３と第１４レンズ素子Ｌ１４との間の接着剤層に面番号２７が付与されている。
【００５３】
実施の形態５に係るズームレンズ系において、第５レンズ群Ｇ５は、物体側に凸面を向けた負メニスカス形状の第１５レンズ素子Ｌ１５のみからなる。この第１５レンズ素子Ｌ１５は、その物体側面が非球面である。
【００５４】
なお、実施の形態５に係るズームレンズ系において、像面Ｓの物体側（像面Ｓと第１５レンズ素子Ｌ１５との間）には、平行平板Ｐが設けられている。
【００５５】
実施の形態５に係るズームレンズ系において、撮像時の広角端から望遠端へのズーミングの際に、第１レンズ群Ｇ１は物体側へ移動し、第２レンズ群Ｇ２は、像側に凸の軌跡を描いて像側へ移動し、開口絞りＡと第３レンズ群Ｇ３は一体的に物体側へ移動し、第４レンズ群Ｇ４は、物体側に凸の軌跡を描いて物体側へ移動し、第５レンズ群Ｇ５は移動しない。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大し、第４レンズ群Ｇ４と第５レンズ群Ｇ５との間隔が変化するように、各レンズ群が光軸に沿ってそれぞれ移動する。
【００５６】
また、無限遠合焦状態から近接合焦状態へのフォーカシング時には、第４レンズ群Ｇ４が光軸に沿って物体側へと移動する。
【００５７】
図１６に示すように、実施の形態６に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３と、物体側に凸面を向けた正メニスカス形状の第４レンズ素子Ｌ４とからなる。
【００５８】
実施の形態６に係るズームレンズ系において、第２レンズ群Ｇ２は、物体側から像側へと順に、物体側に凸面を向けた負メニスカス形状の第５レンズ素子Ｌ５と、両凹形状の第６レンズ素子Ｌ６と、物体側に凸面を向けた正メニスカス形状の第７レンズ素子Ｌ７と、物体側に凸面を向けた正メニスカス形状の第８レンズ素子Ｌ８とからなる。これらのうち、第６レンズ素子Ｌ６と第７レンズ素子Ｌ７とが接合されており、後述する対応数値実施例における面データでは、これら第６レンズ素子Ｌ６と第７レンズ素子Ｌ７との間の接着剤層に面番号１２が付与されている。また、第５レンズ素子Ｌ５は、その両面が非球面である。
【００５９】
実施の形態６に係るズームレンズ系において、第３レンズ群Ｇ３は、物体側から像側へと順に、両凸形状の第９レンズ素子Ｌ９と、両凸形状の第１０レンズ素子Ｌ１０と、両凹形状の第１１レンズ素子Ｌ１１と、両凸形状の第１２レンズ素子Ｌ１２とからなる。これらのうち、第１０レンズ素子Ｌ１０と第１１レンズ素子Ｌ１１とが接合されており、後述する対応数値実施例における面データでは、これら第１０レンズ素子Ｌ１０と第１１レンズ素子Ｌ１１との間の接着剤層に面番号２２が付与されている。また、第９レンズ素子Ｌ９は、その物体側面が非球面である。
【００６０】
実施の形態６に係るズームレンズ系において、第４レンズ群Ｇ４は、物体側から像側へと順に、両凸形状の第１３レンズ素子Ｌ１３と、像側に凸面を向けた負メニスカス形状の第１４レンズ素子Ｌ１４とからなる。これら第１３レンズ素子Ｌ１３と第１４レンズ素子Ｌ１４とは接合されており、後述する対応数値実施例における面データでは、これら第１３レンズ素子Ｌ１３と第１４レンズ素子Ｌ１４との間の接着剤層に面番号２８が付与されている。
【００６１】
なお、実施の形態６に係るズームレンズ系において、像面Ｓの物体側（像面Ｓと第１４レンズ素子Ｌ１４との間）には、平行平板Ｐが設けられている。
【００６２】
実施の形態６に係るズームレンズ系において、撮像時の広角端から望遠端へのズーミングの際に、第１レンズ群Ｇ１は物体側へ移動し、第２レンズ群Ｇ２は、像側に凸の軌跡を描いて像側へ移動し、開口絞りＡは物体側へ移動し、第３レンズ群Ｇ３は物体側へ移動し、第４レンズ群Ｇ４は、物体側に凸の軌跡を描いて物体側へ移動する。すなわち、ズーミングに際して、第１レンズ群Ｇ１と第２レンズ群Ｇ２との間隔が増大し、第２レンズ群Ｇ２と開口絞りＡとの間隔が減少し、開口絞りＡと第３レンズ群Ｇ３との間隔が減少し、第３レンズ群Ｇ３と第４レンズ群Ｇ４との間隔が増大するように、各レンズ群が光軸に沿ってそれぞれ移動する。
【００６３】
また、無限遠合焦状態から近接合焦状態へのフォーカシング時には、第４レンズ群Ｇ４が光軸に沿って物体側へと移動する。
【００６４】
図１９に示すように、実施の形態７に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３と、物体側に凸面を向けた正メニスカス形状の第４レンズ素子Ｌ４とからなる。これらのうち、第１レンズ素子Ｌ１と第２レンズ素子Ｌ２とが接合されており、後述する対応数値実施例における面データでは、これら第１レンズ素子Ｌ１と第２レンズ素子Ｌ２との間の接着剤層に面番号２が付与されている。
【００６５】
実施の形態７に係るズームレンズ系において、第２レンズ群Ｇ２は、物体側から像側へと順に、物体側に凸面を向けた負メニスカス形状の第５レンズ素子Ｌ５と、両凹形状の第６レンズ素子Ｌ６と、両凸形状の第７レンズ素子Ｌ７とからなる。これらのうち、第５レンズ素子Ｌ５は、その両面が非球面である。
【００６６】
実施の形態７に係るズームレンズ系において、第３レンズ群Ｇ３は、物体側から像側へと順に、両凸形状の第８レンズ素子Ｌ８と、両凸形状の第９レンズ素子Ｌ９と、両凹形状の第１０レンズ素子Ｌ１０と、両凸形状の第１１レンズ素子Ｌ１１とからなる。これらのうち、第９レンズ素子Ｌ９と第１０レンズ素子Ｌ１０とが接合されており、後述する対応数値実施例における面データでは、これら第９レンズ素子Ｌ９と第１０レンズ素子Ｌ１０との間の接着剤層に面番号２０が付与されている。また、第８レンズ素子Ｌ８は、その物体側面が非球面である。
【００６７】
実施の形態７に係るズームレンズ系において、第４レンズ群Ｇ４は、物体側から像側へと順に、両凸形状の第１２レンズ素子Ｌ１２と、像側に凸面を向けた負メニスカス形状の第１３レンズ素子Ｌ１３とからなる。これら第１２レンズ素子Ｌ１２と第１３レンズ素子Ｌ１３とは接合されており、後述する対応数値実施例における面データでは、これら第１２レンズ素子Ｌ１２と第１３レンズ素子Ｌ１３との間の接着剤層に面番号２６が付与されている。
【００６８】
なお、実施の形態７に係るズームレンズ系において、像面Ｓの物体側（像面Ｓと第１３レンズ素子Ｌ１３との間）には、平行平板Ｐが設けられている。
【００６９】
実施の形態７に係るズームレンズ系において、撮像時の広角端から望遠端へのズーミングの際に、第１レンズ群Ｇ１は物体側へ移動し、第２レンズ群Ｇ２は、像側に凸の軌跡を描いて像側へ移動し、開口絞りＡは物体側へ移動し、第３レンズ群Ｇ３は物体側へ移動し、第４レンズ群Ｇ４は、物体側に凸の軌跡を描いて物体側へ移動する。すなわち、ズーミングに際して、第１レンズ群Ｇ１と第２レンズ群Ｇ２との間隔が増大し、第２レンズ群Ｇ２と開口絞りＡとの間隔が減少し、開口絞りＡと第３レンズ群Ｇ３との間隔が減少し、第３レンズ群Ｇ３と第４レンズ群Ｇ４との間隔が増大するように、各レンズ群が光軸に沿ってそれぞれ移動する。
【００７０】
また、無限遠合焦状態から近接合焦状態へのフォーカシング時には、第４レンズ群Ｇ４が光軸に沿って物体側へと移動する。
【００７１】
図２２に示すように、実施の形態８に係るズームレンズ系において、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３と、物体側に凸面を向けた正メニスカス形状の第４レンズ素子Ｌ４とからなる。これらのうち、第１レンズ素子Ｌ１と第２レンズ素子Ｌ２とが接合されており、後述する対応数値実施例における面データでは、これら第１レンズ素子Ｌ１と第２レンズ素子Ｌ２との間の接着剤層に面番号２が付与されている。
【００７２】
実施の形態８に係るズームレンズ系において、第２レンズ群Ｇ２は、物体側から像側へと順に、物体側に凸面を向けた負メニスカス形状の第５レンズ素子Ｌ５と、両凹形状の第６レンズ素子Ｌ６と、物体側に凸面を向けた正メニスカス形状の第７レンズ素子Ｌ７と、物体側に凸面を向けた正メニスカス形状の第８レンズ素子Ｌ８とからなる。これらのうち、第６レンズ素子Ｌ６と第７レンズ素子Ｌ７とが接合されており、後述する対応数値実施例における面データでは、これら第６レンズ素子Ｌ６と第７レンズ素子Ｌ７との間の接着剤層に面番号１２が付与されている。また、第５レンズ素子Ｌ５は、その両面が非球面である。
【００７３】
実施の形態８に係るズームレンズ系において、第３レンズ群Ｇ３は、物体側から像側へと順に、両凸形状の第９レンズ素子Ｌ９と、両凸形状の第１０レンズ素子Ｌ１０と、両凹形状の第１１レンズ素子Ｌ１１と、両凸形状の第１２レンズ素子Ｌ１２とからなる。これらのうち、第１０レンズ素子Ｌ１０と第１１レンズ素子Ｌ１１とが接合されており、後述する対応数値実施例における面データでは、これら第１０レンズ素子Ｌ１０と第１１レンズ素子Ｌ１１との間の接着剤層に面番号２１が付与されている。また、第９レンズ素子Ｌ９は、その物体側面が非球面である。
【００７４】
実施の形態８に係るズームレンズ系において、第４レンズ群Ｇ４は、物体側から像側へと順に、両凸形状の第１３レンズ素子Ｌ１３と、像側に凸面を向けた負メニスカス形状の第１４レンズ素子Ｌ１４とからなる。これら第１３レンズ素子Ｌ１３と第１４レンズ素子Ｌ１４とは接合されており、後述する対応数値実施例における面データでは、これら第１３レンズ素子Ｌ１３と第１４レンズ素子Ｌ１４との間の接着剤層に面番号２７が付与されている。
【００７５】
なお、実施の形態８に係るズームレンズ系において、像面Ｓの物体側（像面Ｓと第１４レンズ素子Ｌ１４との間）には、平行平板Ｐが設けられている。
【００７６】
実施の形態８に係るズームレンズ系において、撮像時の広角端から望遠端へのズーミングの際に、第１レンズ群Ｇ１は物体側へ移動し、第２レンズ群Ｇ２は、像側に凸の軌跡を描いて像側へ移動し、開口絞りＡと第３レンズ群Ｇ３は一体的に物体側へ移動し、第４レンズ群Ｇ４は、物体側に凸の軌跡を描いて物体側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００７７】
また、無限遠合焦状態から近接合焦状態へのフォーカシング時には、第４レンズ群Ｇ４が光軸に沿って物体側へと移動する。
【００７８】
図２５に示すように、実施の形態９に係るズームレンズ系において、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とが接合されており、後述する対応数値実施例における面データでは、これら第１レンズ素子Ｌ１と第２レンズ素子Ｌ２との間の接着剤層に面番号２が付与されている。
【００７９】
実施の形態９に係るズームレンズ系において、第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６と、物体側に凸面を向けた正メニスカス形状の第７レンズ素子Ｌ７とからなる。これらのうち、第５レンズ素子Ｌ５と第６レンズ素子Ｌ６とが接合されており、後述する対応数値実施例における面データでは、これら第５レンズ素子Ｌ５と第６レンズ素子Ｌ６との間の接着剤層に面番号１０が付与されている。また、第４レンズ素子Ｌ４は、その両面が非球面である。
【００８０】
実施の形態９に係るズームレンズ系において、第３レンズ群Ｇ３は、物体側から像側へと順に、両凸形状の第８レンズ素子Ｌ８と、両凸形状の第９レンズ素子Ｌ９と、両凹形状の第１０レンズ素子Ｌ１０と、両凸形状の第１１レンズ素子Ｌ１１とからなる。これらのうち、第９レンズ素子Ｌ９と第１０レンズ素子Ｌ１０とが接合されており、後述する対応数値実施例における面データでは、これら第９レンズ素子Ｌ９と第１０レンズ素子Ｌ１０との間の接着剤層に面番号２０が付与されている。また、第８レンズ素子Ｌ８は、その物体側面が非球面である。
【００８１】
実施の形態９に係るズームレンズ系において、第４レンズ群Ｇ４は、物体側から像側へと順に、両凸形状の第１２レンズ素子Ｌ１２と、像側に凸面を向けた負メニスカス形状の第１３レンズ素子Ｌ１３とからなる。これら第１２レンズ素子Ｌ１２と第１３レンズ素子Ｌ１３とは接合されており、後述する対応数値実施例における面データでは、これら第１２レンズ素子Ｌ１２と第１３レンズ素子Ｌ１３との間の接着剤層に面番号２６が付与されている。また、第１２レンズ素子Ｌ１２は、その物体側面が非球面である。
【００８２】
なお、実施の形態９に係るズームレンズ系において、像面Ｓの物体側（像面Ｓと第１３レンズ素子Ｌ１３との間）には、平行平板Ｐが設けられている。
【００８３】
実施の形態９に係るズームレンズ系において、撮像時の広角端から望遠端へのズーミングの際に、第１レンズ群Ｇ１は物体側へ移動し、第２レンズ群Ｇ２は、像側に凸の軌跡を描いて像側へ移動し、開口絞りＡは物体側へ移動し、第３レンズ群Ｇ３は物体側へ移動し、第４レンズ群Ｇ４は、物体側に凸の軌跡を描いて像側へ移動する。すなわち、ズーミングに際して、第１レンズ群Ｇ１と第２レンズ群Ｇ２との間隔が増大し、第２レンズ群Ｇ２と開口絞りＡとの間隔が減少し、開口絞りＡと第３レンズ群Ｇ３との間隔が減少し、第３レンズ群Ｇ３と第４レンズ群Ｇ４との間隔が増大するように、各レンズ群が光軸に沿ってそれぞれ移動する。
【００８４】
また、無限遠合焦状態から近接合焦状態へのフォーカシング時には、第４レンズ群Ｇ４が光軸に沿って物体側へと移動する。
【００８５】
図２８に示すように、実施の形態１０に係るズームレンズ系において、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。
【００８６】
実施の形態１０に係るズームレンズ系において、第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６と、物体側に凸面を向けた正メニスカス形状の第７レンズ素子Ｌ７とからなる。これらのうち、第５レンズ素子Ｌ５と第６レンズ素子Ｌ６とが接合されており、後述する対応数値実施例における面データでは、これら第５レンズ素子Ｌ５と第６レンズ素子Ｌ６との間の接着剤層に面番号１０が付与されている。また、第４レンズ素子Ｌ４は、その両面が非球面である。
【００８７】
実施の形態１０に係るズームレンズ系において、第３レンズ群Ｇ３は、物体側から像側へと順に、両凸形状の第８レンズ素子Ｌ８と、両凸形状の第９レンズ素子Ｌ９と、両凹形状の第１０レンズ素子Ｌ１０と、両凸形状の第１１レンズ素子Ｌ１１とからなる。これらのうち、第９レンズ素子Ｌ９と第１０レンズ素子Ｌ１０とが接合されており、後述する対応数値実施例における面データでは、これら第９レンズ素子Ｌ９と第１０レンズ素子Ｌ１０との間の接着剤層に面番号２０が付与されている。また、第８レンズ素子Ｌ８は、その物体側面が非球面である。
【００８８】
実施の形態１０に係るズームレンズ系において、第４レンズ群Ｇ４は、物体側から像側へと順に、両凸形状の第１２レンズ素子Ｌ１２と、像側に凸面を向けた負メニスカス形状の第１３レンズ素子Ｌ１３とからなる。これら第１２レンズ素子Ｌ１２と第１３レンズ素子Ｌ１３とは接合されており、後述する対応数値実施例における面データでは、これら第１２レンズ素子Ｌ１２と第１３レンズ素子Ｌ１３との間の接着剤層に面番号２６が付与されている。また、第１２レンズ素子Ｌ１２は、その物体側面が非球面である。
【００８９】
なお、実施の形態１０に係るズームレンズ系において、像面Ｓの物体側（像面Ｓと第１３レンズ素子Ｌ１３との間）には、平行平板Ｐが設けられている。
【００９０】
実施の形態１０に係るズームレンズ系において、撮像時の広角端から望遠端へのズーミングの際に、第１レンズ群Ｇ１は物体側へ移動し、第２レンズ群Ｇ２は、像側に凸の軌跡を描いて像側へ移動し、開口絞りＡは物体側へ移動し、第３レンズ群Ｇ３は物体側へ移動し、第４レンズ群Ｇ４は、物体側に凸の軌跡を描いて像側へ移動する。すなわち、ズーミングに際して、第１レンズ群Ｇ１と第２レンズ群Ｇ２との間隔が増大し、第２レンズ群Ｇ２と開口絞りＡとの間隔が減少し、開口絞りＡと第３レンズ群Ｇ３との間隔が減少し、第３レンズ群Ｇ３と第４レンズ群Ｇ４との間隔が増大するように、各レンズ群が光軸に沿ってそれぞれ移動する。
【００９１】
また、無限遠合焦状態から近接合焦状態へのフォーカシング時には、第４レンズ群Ｇ４が光軸に沿って物体側へと移動する。
【００９２】
図３１に示すように、実施の形態１１に係るズームレンズ系において、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３と、物体側に凸面を向けた正メニスカス形状の第４レンズ素子Ｌ４とからなる。これらのうち、第１レンズ素子Ｌ１と第２レンズ素子Ｌ２とが接合されており、後述する対応数値実施例における面データでは、これら第１レンズ素子Ｌ１と第２レンズ素子Ｌ２との間の接着剤層に面番号２が付与されている。
【００９３】
実施の形態１１に係るズームレンズ系において、第２レンズ群Ｇ２は、物体側から像側へと順に、物体側に凸面を向けた負メニスカス形状の第５レンズ素子Ｌ５と、両凹形状の第６レンズ素子Ｌ６と、両凸形状の第７レンズ素子Ｌ７とからなる。これらのうち、第５レンズ素子Ｌ５は、その両面が非球面である。
【００９４】
実施の形態１１に係るズームレンズ系において、第３レンズ群Ｇ３は、物体側から像側へと順に、両凸形状の第８レンズ素子Ｌ８と、両凸形状の第９レンズ素子Ｌ９と、両凹形状の第１０レンズ素子Ｌ１０と、両凸形状の第１１レンズ素子Ｌ１１とからなる。これらのうち、第９レンズ素子Ｌ９と第１０レンズ素子Ｌ１０とが接合されており、後述する対応数値実施例における面データでは、これら第９レンズ素子Ｌ９と第１０レンズ素子Ｌ１０との間の接着剤層に面番号２０が付与されている。また、第８レンズ素子Ｌ８は、その物体側面が非球面である。
【００９５】
実施の形態１１に係るズームレンズ系において、第４レンズ群Ｇ４は、物体側から像側へと順に、両凸形状の第１２レンズ素子Ｌ１２と、像側に凸面を向けた負メニスカス形状の第１３レンズ素子Ｌ１３とからなる。これら第１２レンズ素子Ｌ１２と第１３レンズ素子Ｌ１３とは接合されており、後述する対応数値実施例における面データでは、これら第１２レンズ素子Ｌ１２と第１３レンズ素子Ｌ１３との間の接着剤層に面番号２６が付与されている。
【００９６】
なお、実施の形態１１に係るズームレンズ系において、像面Ｓの物体側（像面Ｓと第１３レンズ素子Ｌ１３との間）には、平行平板Ｐが設けられている。
【００９７】
実施の形態１１に係るズームレンズ系において、撮像時の広角端から望遠端へのズーミングの際に、第１レンズ群Ｇ１は物体側へ移動し、第２レンズ群Ｇ２は、像側に凸の軌跡を描いて像側へ移動し、開口絞りＡは物体側へ移動し、第３レンズ群Ｇ３は物体側へ移動し、第４レンズ群Ｇ４は、物体側に凸の軌跡を描いて物体側へ移動する。すなわち、ズーミングに際して、第１レンズ群Ｇ１と第２レンズ群Ｇ２との間隔が増大し、第２レンズ群Ｇ２と開口絞りＡとの間隔が減少し、開口絞りＡと第３レンズ群Ｇ３との間隔が減少し、第３レンズ群Ｇ３と第４レンズ群Ｇ４との間隔が増大するように、各レンズ群が光軸に沿ってそれぞれ移動する。
【００９８】
また、無限遠合焦状態から近接合焦状態へのフォーカシング時には、第４レンズ群Ｇ４が光軸に沿って物体側へと移動する。
【００９９】
実施の形態１〜８及び１１に係るズームレンズ系では、第１レンズ群Ｇ１が、物体側から像側へと順に、負のパワーを有するレンズ素子と、正のパワーを有するレンズ素子と、正のパワーを有するレンズ素子と、正のパワーを有するレンズ素子とで構成されているので、諸収差、特に望遠端での色収差を良好に補正しながらも、極めて大きな変倍比を実現することができる。
【０１００】
実施の形態１〜６及び８〜１０に係るズームレンズ系では、第２レンズ群Ｇ２が、物体側から像側へと順に、負のパワーを有するレンズ素子と、負のパワーを有するレンズ素子と、正のパワーを有するレンズ素子と、正のパワーを有するレンズ素子とで構成されているので、諸収差、特に広角端でのコマ収差を良好に補正しながらも、極めて大きな変倍比を実現することができる。また、正のパワーを有するレンズ素子を２枚用いることで、正のパワーを弱くすることができ、２枚の正のパワーを有するレンズ素子の間隔のズレによるものづくり感度を低減させることができる。
【０１０１】
実施の形態１〜１１に係るズームレンズ系では、第３レンズ群Ｇ３が、物体側から像側へと順に、正のパワーを有するレンズ素子と、正のパワーを有するレンズ素子と、負のパワーを有するレンズ素子と、正のパワーを有するレンズ素子とで構成されており、また、各レンズ面のパワーが弱いことから、各レンズ面に入射する光線とレンズ面法線の角度が小さくなり、極めて大きな変倍比を有しておりながらも、変倍時の収差変動を、特に球面収差やコマ収差を良好に抑えることができ、ズーム全域にわたって高い光学性能を確保することができる。さらに、２枚の正のパワーを有するレンズ素子間の間隔が大きいことから、諸収差、特に球面収差を良好に補正することができ、極めて大きな変倍比を有しておりながらも、ズーム全域にわたって高い光学性能を確保することができる。
【０１０２】
また実施の形態１〜１１に係るズームレンズ系では、該ズームレンズ系を構成するレンズ群のうちのいずれかのレンズ群、あるいは、各レンズ群の一部のサブレンズ群を光軸に直交する方向に移動させることによって、全系の振動による像点移動を補正する、すなわち、手ぶれ、振動等による像のぶれを光学的に補正することができる。
【０１０３】
全系の振動による像点移動を補正する際に、例えば第３レンズ群Ｇ３が光軸に直交する方向に移動することにより、ズームレンズ系全体の大型化を抑制してコンパクトに構成しながら、偏心コマ収差や偏心非点収差が小さい優れた結像特性を維持して像ぶれの補正を行うことができる。
【０１０４】
なお、前記各レンズ群の一部のサブレンズ群とは、１つのレンズ群が複数のレンズ素子で構成される場合、該複数のレンズ素子のうち、いずれか１枚のレンズ素子又は隣り合った複数のレンズ素子をいう。
【０１０５】
以下、例えば実施の形態１〜１１に係るズームレンズ系のごときズームレンズ系が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。
【０１０６】
実施の形態１〜１１に係るズームレンズ系のうち、物体側から像側へと順に、正のパワーを有し、４枚のレンズ素子からなる第１レンズ群と、負のパワーを有する第２レンズ群と、正のパワーを有する第３レンズ群と、後続レンズ群とからなり、後続レンズ群が、正のパワーを有する第４レンズ群であるか、又は、物体側から像側へと順に、正のパワーを有する第４レンズ群と負のパワーを有する第５レンズ群とであり、第１レンズ群が、２枚の単レンズ素子を接合してなる接合レンズ素子１枚と、単レンズ素子２枚とからなり、撮像時の広角端から望遠端へのズーミングの際に、少なくとも第１レンズ群を光軸に沿って移動させて変倍を行う（以下、このレンズ構成を、実施の形態の基本構成Ｉという）ズームレンズ系は、以下の条件（１）及び（ａ−１）を満足することが好ましい。
０．３０＜ｆ１／ｆＴ＜０．７０  ・・・（１）
Ｚ＝ｆＴ／ｆＷ＞２０．５  ・・・（ａ−１）
ここで、
ｆ１：第１レンズ群の合成焦点距離、
ｆＷ：広角端における全系の焦点距離、
ｆＴ：望遠端における全系の焦点距離
である。
【０１０７】
また、実施の形態１〜１１に係るズームレンズ系のうち、物体側から像側へと順に、正のパワーを有する第１レンズ群と、負のパワーを有し、正のパワーを有するレンズ素子２枚と負のパワーを有するレンズ素子２枚とからなる第２レンズ群と、正のパワーを有する第３レンズ群とを備え、撮像時の広角端から望遠端へのズーミングの際に、少なくとも第１レンズ群を光軸に沿って移動させて変倍を行う（以下、このレンズ構成を、実施の形態の基本構成IIという）ズームレンズ系は、以下の条件（１）及び（ａ−２）を満足することが好ましい。
０．３０＜ｆ1／ｆT＜０．７０  ・・・（１）
Ｚ＝ｆT／ｆW＞１０．０  ・・・（ａ−２）
ここで、
ｆ1：第１レンズ群の合成焦点距離、
ｆW：広角端における全系の焦点距離、
ｆT：望遠端における全系の焦点距離
である。
【０１０８】
前記条件（１）は、第１レンズ群の焦点距離と望遠端における全系の焦点距離との比を規定する条件である。条件（１）の下限を下回ると、第１レンズ群の焦点距離が小さくなり過ぎ、変倍時の収差変動が大きくなって諸収差の補正が困難になるとともに、第１レンズ群の径も大きくなることから、コンパクトなレンズ鏡筒や撮像装置、カメラを提供することが困難となる。また、第１レンズ群の傾きに対する誤差感度も高くなり過ぎ、光学系の組み立てが困難になる場合がある。条件（１）の上限を上回ると、第１レンズ群の焦点距離が大きくなり過ぎ、高倍率を確保するために必要な第１レンズ群の移動量が大きくなり過ぎて、コンパクトなレンズ鏡筒や撮像装置、カメラを提供することが困難となる。
【０１０９】
なお、基本構成Ｉ又はIIを有するズームレンズ系において、さらに以下の条件（１）’及び（１）’’の少なくとも１つを満足することにより、前記効果をさらに奏功させることができる。
０．３５＜ｆ1／ｆT  ・・・（１）’
ｆ1／ｆT＜０．６０  ・・・（１）’’
【０１１０】
基本構成IIを有するズームレンズ系において、前記条件（１）、（１）’及び（１）’’は、以下の条件（ａ−２）’において満足することがより望ましい。
Ｚ＝ｆT／ｆW＞２０．５  ・・・（ａ−２）’
【０１１１】
実施の形態１〜１１に係るズームレンズ系のうち、物体側から像側へと順に、正のパワーを有する第１レンズ群と、負のパワーを有する第２レンズ群と、正のパワーを有する第３レンズ群とを備え、撮像時の広角端から望遠端へのズーミングの際に、少なくとも第１レンズ群を光軸に沿って移動させて変倍を行う（以下、このレンズ構成を、実施の形態の基本構成IIIという）ズームレンズ系は、以下の条件（２）及び（ａ−３）を満足することが好ましい。
Ｒ3／Ｉｒ＞３．０  ・・・（２）
Ｚ＝ｆT／ｆW＞１８．０  ・・・（ａ−３）
ここで、
Ｒ3：第３レンズ群に含まれるレンズ面の曲率半径の、絶対値の最小値、
Ｉｒ：次式で表される値
Ｉｒ＝ｆT×ｔａｎ（ωT）、
ｆW：広角端における全系の焦点距離、
ｆT：望遠端における全系の焦点距離、
ωT：望遠端における最大画角の半値（°）
である。
【０１１２】
前記条件（２）は、第３レンズ群に含まれるレンズ面の曲率半径の絶対値の最小値と、最大像高との比を規定する条件である。条件（２）を満足しない場合には、第３レンズ群に含まれるレンズ面の曲率半径の絶対値の最小値が小さくなり、各レンズ面に入射する光線とレンズ面法線とがなす角度が大きくなることから、球面収差やコマ収差を良好に抑えることが困難となる。その結果、変倍時の収差変動が大きくなり、ズーム全域での良好な性能確保が困難となる。
【０１１３】
なお、さらに以下の条件（２）’を満足することにより、前記効果をさらに奏功させることができる。
Ｒ3／Ｉｒ＞３．３  ・・・（２）’
【０１１４】
また、前記条件（２）及び（２）’は、以下の条件（ａ−３）’において満足することがより望ましい。
Ｚ＝ｆT／ｆW＞２０．５  ・・・（ａ−３）’
【０１１５】
また、実施の形態１〜１１に係るズームレンズ系のうち、基本構成IIIを有するズームレンズ系は、以下の条件（３）及び（ａ−３）を満足することが好ましい。
Ｄ3／Ｉｒ＞０．９３  ・・・（３）
Ｚ＝ｆT／ｆW＞１８．０  ・・・（ａ−３）
ここで、
Ｄ3：第３レンズ群内の空気間隔の最大値、
Ｉｒ：次式で表される値
Ｉｒ＝ｆT×ｔａｎ（ωT）、
ｆW：広角端における全系の焦点距離、
ｆT：望遠端における全系の焦点距離、
ωT：望遠端における最大画角の半値（°）
である。
【０１１６】
前記条件（３）は、第３レンズ群内の空気間隔の最大値と最大像高との比を規定する条件である。条件（３）を満足しない場合には、第３レンズ群内の空気間隔の最大値が小さくなり、諸収差、特に球面収差を良好に補正することが困難となることから、ズーム全域での良好な性能確保が困難となる。
【０１１７】
なお、さらに以下の条件（３）’を満足することにより、前記効果をさらに奏功させることができる。
Ｄ3／Ｉｒ＞１．００  ・・・（３）’
【０１１８】
また、前記条件（３）及び（３）’は、以下の条件（ａ−３）’において満足することがより望ましい。
Ｚ＝ｆT／ｆW＞２０．５  ・・・（ａ−３）’
【０１１９】
実施の形態１〜１１に係るズームレンズ系のうち、物体側から像側へと順に、正のパワーを有し、４枚のレンズ素子からなる第１レンズ群と、負のパワーを有し、４枚以下のレンズ素子からなる第２レンズ群と、正のパワーを有する第３レンズ群とを備え、第１レンズ群が少なくとも１組の接合レンズ素子を含み、撮像時の広角端から望遠端へのズーミングの際に、少なくとも第１レンズ群を光軸に沿って移動させて変倍を行う（以下、このレンズ構成を、実施の形態の基本構成IVという）ズームレンズ系は、以下の条件（４）、（ａ−３）及び（ｂ）を満足することが好ましい。
−０．００１６×ｖｄ12＋０．６６−ＰｇＦ12＞０．０  ・・・（４）
Ｚ＝ｆT／ｆW＞１８．０  ・・・（ａ−３）
ωW＞３２  ・・・（ｂ）
ここで、
ｖｄ12：第１レンズ群内の接合レンズ素子を構成する最像側レンズ素子のアッベ数、
ＰｇＦ12：第１レンズ群内の接合レンズ素子を構成する最像側レンズ素子の、次式で表される部分分散比
ＰｇＦ12＝（ｎｇ−ｎＦ）／（ｎＦ−ｎＣ）、
ｎｇ：ｇ線に対する屈折率、
ｎＦ：Ｆ線に対する屈折率、
ｎＣ：Ｃ線に対する屈折率、
ｆW：広角端における全系の焦点距離、
ｆT：望遠端における全系の焦点距離、
ωW：広角端における最大画角の半値（°）
である。
【０１２０】
前記条件（４）は、第１レンズ群内の接合レンズ素子を構成する最像側レンズ素子の、アッベ数と、ｇ線とＦ線における部分分散比との関係を規定する条件である。条件（４）を満足しない硝材は線膨張係数が大きく、このような硝材からなる最像側レンズ素子と物体側に位置するレンズ素子とを接合させようとすると、物体側に位置するレンズ素子の硝材が有する線膨張係数との差によって、接着剤が剥がれてしまい、外観を損なうことがある。特に第１レンズ群内の接合レンズ素子は外径が大きく、さらにはレンズ外径部周辺に墨を塗布した場合に加熱乾燥工程を適用すると、前記接着剤が剥がれることにより、著しく外観を損ない易い。その結果、良品質な接合レンズ素子の製造が極めて困難となる。
【０１２１】
前記条件（４）は、以下の条件（ａ−３）’において満足することがより望ましい。
Ｚ＝ｆT／ｆW＞２０．５  ・・・（ａ−３）’
【０１２２】
また、前記条件（４）は、以下の条件（ｂ）’において満足することがより望ましい。
ωW＞４０  ・・・（ｂ）’
【０１２３】
実施の形態１〜１１に係るズームレンズ系のうち、基本構成Ｉ、II又はIIIを有するズームレンズ系は、以下の条件（５）及び（ａ−４）を満足することが好ましい。
−９．０＜ｆ1／ｆ2＜−６．０  ・・・（５）
Ｚ＝ｆT／ｆW＞２２．５  ・・・（ａ−４）
ここで、
ｆ1：第１レンズ群の合成焦点距離、
ｆ2：第２レンズ群の合成焦点距離、
ｆW：広角端における全系の焦点距離、
ｆT：望遠端における全系の焦点距離
である。
【０１２４】
前記条件（５）は、第１レンズ群の焦点距離と第２レンズ群の焦点距離との比を規定する条件である。条件（５）の下限を下回ると、第２レンズ群の焦点距離が小さくなり過ぎ、変倍時の収差変動が大きくなって諸収差の補正が困難になる。また、第１レンズ群の焦点距離が大きくなり過ぎ、高倍率を確保するために必要な第１レンズ群の移動量が大きくなり過ぎる。その結果、コンパクトなレンズ鏡筒や撮像装置、カメラを提供することが困難となる。条件（５）の上限を上回ると、第１レンズ群の焦点距離が小さくなり過ぎ、変倍時の収差変動が大きくなって諸収差の補正が困難になるとともに、第１レンズ群の径も大きくなる。その結果、コンパクトなレンズ鏡筒や撮像装置、カメラを提供することが困難となる。また、第１レンズ群の傾きに対する誤差感度も高くなり過ぎ、光学系の組み立てが困難になる場合がある。
【０１２５】
なお、さらに以下の条件（５）’及び（５）’’の少なくとも１つを満足することにより、前記効果をさらに奏功させることができる。
−８．０＜ｆ1／ｆ2  ・・・（５）’
ｆ1／ｆ2＜−７．０  ・・・（５）’’
【０１２６】
実施の形態１〜１１に係るズームレンズ系のうち、基本構成IIIを有するズームレンズ系は、以下の条件（６）及び（ａ−３）を満足することが好ましい。
Ｒ3F／Ｉｒ＞３．０  ・・・（６）
Ｚ＝ｆT／ｆW＞１８．０  ・・・（ａ−３）
ここで、
Ｒ3F：第３レンズ群の最物体側レンズ面の曲率半径、
Ｉｒ：次式で表される値
Ｉｒ＝ｆT×ｔａｎ（ωT）、
ｆW：広角端における全系の焦点距離、
ｆT：望遠端における全系の焦点距離、
ωT：望遠端における最大画角の半値（°）
である。
【０１２７】
前記条件（６）は、第３レンズ群の最物体側レンズ面の曲率半径と最大像高との比を規定する条件である。条件（６）を満足しない場合には、該最物体側レンズ面の曲率半径が小さくなり、該レンズ面に入射する光線とレンズ面法線とがなす角度が大きくなることから、球面収差やコマ収差を良好に抑えることが困難となる。その結果、変倍時の収差変動が大きくなり、ズーム全域での良好な性能確保が困難となる。
【０１２８】
なお、さらに以下の条件（６）’を満足することにより、前記効果をさらに奏功させることができる。
Ｒ3F／Ｉｒ＞３．３  ・・・（６）’
【０１２９】
また、前記条件（６）及び（６）’は、以下の条件（ａ−３）’において満足することがより望ましい。
Ｚ＝ｆT／ｆW＞２０．５  ・・・（ａ−３）’
【０１３０】
実施の形態１〜１１に係るズームレンズ系のうち、基本構成IVを有するズームレンズ系は、以下の条件（７）、（ａ−３）及び（ｂ）を満足することが好ましい。
ｖｄ12＞６０  ・・・（７）
Ｚ＝ｆT／ｆW＞１８．０  ・・・（ａ−３）
ωW＞３２  ・・・（ｂ）
ここで、
ｖｄ12：第１レンズ群内の接合レンズ素子を構成する最像側レンズ素子のアッベ数、
ｆW：広角端における全系の焦点距離、
ｆT：望遠端における全系の焦点距離、
ωW：広角端における最大画角の半値（°）
である。
【０１３１】
前記条件（７）は、第１レンズ群内の接合レンズ素子を構成する最像側レンズ素子のアッベ数を規定する条件である。条件（７）を満足しない場合には、該接合レンズ素子を構成する物体側に位置するレンズ素子のアッベ数との差が小さくなり、諸収差の補正が困難になる。
【０１３２】
なお、さらに以下の条件（７）’を満足することにより、前記効果をさらに奏功させることができる。
ｖｄ12＞７０  ・・・（７）’
【０１３３】
前記条件（７）及び（７）’は、以下の条件（ａ−３）’において満足することがより望ましい。
Ｚ＝ｆT／ｆW＞２０．５  ・・・（ａ−３）’
【０１３４】
また、前記条件（７）及び（７）’は、以下の条件（ｂ）’において満足することがより望ましい。
ωW＞４０  ・・・（ｂ）’
【０１３５】
実施の形態１〜１１に係るズームレンズ系のごときズームレンズ系のように、第３レンズ群が光軸に対して垂直方向に移動するズームレンズ系は、以下の条件（８）及び（９）を全系において満足することが望ましい。
ＹT＞Ｙ  ・・・（８）
１．５＜（Ｙ／ＹT）／（ｆ／ｆT）＜３．０  ・・・（９）
ここで、
ｆ：全系の焦点距離、
ｆT：望遠端における全系の焦点距離、
Ｙ：全系の焦点距離ｆにおける、第３レンズ群の、最大ぶれ補正時の光軸に対して垂直方向への移動量、
ＹT：望遠端での全系の焦点距離ｆTにおける、第３レンズ群の、最大ぶれ補正時の光軸に対して垂直方向への移動量
である。
【０１３６】
前記条件（８）及び（９）は、光軸に対して垂直方向に移動する第３レンズ群の最大ぶれ補正時の移動量に関する条件である。ズームレンズ系の場合、補正角が全ズーム域で一定のときには、ズーム比が大きいほど、光軸に対して垂直方向に移動するレンズ群やレンズ素子の移動量が大きく、逆にズーム比が小さいほど、光軸に対して垂直方向に移動するレンズ群やレンズ素子の移動量が小さくなる。条件（８）を満足しない場合又は条件（９）の上限を上回ると、ぶれ補正が過剰となり、光学性能の劣化が大きくなる恐れがある。一方、条件（９）の下限を下回ると、充分にぶれを補正することができなくなる恐れがある。
【０１３７】
なお、さらに以下の条件（９）’及び（９）’’の少なくとも１つを満足することにより、前記効果をさらに奏功させることができる。
１．６＜（Ｙ／ＹT）／（ｆ／ｆT）  ・・・（９）’
（Ｙ／ＹT）／（ｆ／ｆT）＜２．２  ・・・（９）’’
【０１３８】
実施の形態１〜１１に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。
【０１３９】
さらに各実施の形態では、像面Ｓの物体側（像面Ｓと第４レンズ群Ｇ４の最像側レンズ面との間又は像面Ｓと第５レンズ群Ｇ５の最像側レンズ面との間）には、光学的ローパスフィルタや撮像素子のフェースプレート等と等価な平行平板Ｐを配置する構成を示したが、このローパスフィルタとしては、所定の結晶軸方向が調整された水晶等を材料とする複屈折型ローパスフィルタや、必要とされる光学的な遮断周波数の特性を回折効果により達成する位相型ローパスフィルタ等が適用可能である。
【０１４０】
（実施の形態１２）
図３４は、実施の形態１２に係るデジタルスチルカメラの概略構成図である。図３４において、デジタルスチルカメラは、ズームレンズ系１とＣＣＤである撮像素子２とを含む撮像装置と、液晶モニタ３と、筐体４とから構成される。ズームレンズ系１として、実施の形態１に係るズームレンズ系が用いられている。図３４において、ズームレンズ系１は、第１レンズ群Ｇ１と、第２レンズ群Ｇ２と、開口絞りＡと、第３レンズ群Ｇ３と、第４レンズ群Ｇ４とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【０１４１】
鏡筒は、主鏡筒５と、移動鏡筒６と、円筒カム７とで構成されている。円筒カム７を回転させると、第１レンズ群Ｇ１、第２レンズ群Ｇ２、開口絞りＡ、第３レンズ群Ｇ３及び第４レンズ群Ｇ４が撮像素子２を基準にした所定の位置に移動し、広角端から望遠端までのズーミングを行うことができる。第４レンズ群Ｇ４はフォーカス調整用モータにより光軸方向に移動可能である。
【０１４２】
こうして、デジタルスチルカメラに実施の形態１に係るズームレンズ系を用いることにより、解像度及び像面湾曲を補正する能力が高く、非使用時の光学全長が短い小型のデジタルスチルカメラを提供することができる。なお、図３４に示したデジタルスチルカメラには、実施の形態１に係るズームレンズ系の替わりに実施の形態２〜１１に係るズームレンズ系のいずれかを用いてもよい。また、図３４に示したデジタルスチルカメラの光学系は、動画像を対象とするデジタルビデオカメラに用いることもできる。この場合、静止画像だけでなく、解像度の高い動画像を撮影することができる。
【０１４３】
なお、本実施の形態１２に係るデジタルスチルカメラでは、ズームレンズ系１として実施の形態１〜１１に係るズームレンズ系を示したが、これらのズームレンズ系は、全てのズーミング域を使用する必要はない。すなわち、所望のズーミング域に応じて、光学性能が確保されている範囲を切り出し、実施の形態１〜１１で説明したズームレンズ系よりも低倍率のズームレンズ系として使用してもよい。
【０１４４】
さらに、実施の形態１２では、いわゆる沈胴構成の鏡筒にズームレンズ系を適用した例を示したが、これに限られない。例えば、第１レンズ群Ｇ１内等の任意の位置に、内部反射面を持つプリズムや、表面反射ミラーを配置し、いわゆる屈曲構成の鏡筒にズームレンズ系を適用してもよい。さらに、実施の形態１２において、第２レンズ群Ｇ２全体、第３レンズ群Ｇ３全体、第４レンズ群Ｇ４全体、第３レンズ群Ｇ３の一部等のズームレンズ系を構成している一部のレンズ群を、沈胴時に光軸上から退避させる、いわゆるスライディング鏡筒にズームレンズ系を適用してもよい。
【０１４５】
また、以上説明した実施の形態１〜１１に係るズームレンズ系と、ＣＣＤやＣＭＯＳ等の撮像素子とから構成される撮像装置を、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等に適用することもできる。
【０１４６】
以下、実施の形態１〜１１に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
0005530868.tif 000002
ここで、κは円錐定数、Ａ４、Ａ６、Ａ８、Ａ１０、Ａ１２、Ａ１４及びＡ１６は、それぞれ４次、６次、８次、１０次、１２次、１４次及び１６次の非球面係数である。なお、本明細書において、数値実施例（実施例）９及び１０は、数値参考例（参考例）である。
【０１４７】
図２、５、８、１１、１４、１７、２０、２３、２６、２９及び３２は、各々実施の形態１〜１１に係るズームレンズ系の縦収差図である。
【０１４８】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１４９】
図３、６、９、１２、１５、１８、２１、２４、２７、３０及び３３は、各々実施の形態１〜１１に係るズームレンズ系の望遠端における横収差図である。
【０１５０】
各横収差図において、上段３つの収差図は、望遠端における像ぶれ補正を行っていない基本状態、下段３つの収差図は、第３レンズ群Ｇ３全体を光軸と垂直な方向に所定量移動させた望遠端における像ぶれ補正状態に、それぞれ対応する。基本状態の各横収差図のうち、上段は最大像高の７５％の像点における横収差、中段は軸上像点における横収差、下段は最大像高の−７５％の像点における横収差に、それぞれ対応する。像ぶれ補正状態の各横収差図のうち、上段は最大像高の７５％の像点における横収差、中段は軸上像点における横収差、下段は最大像高の−７５％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第３レンズ群Ｇ３の光軸とを含む平面としている。
【０１５１】
なお、各実施例のズームレンズ系について、望遠端における、像ぶれ補正状態での第３レンズ群Ｇ３の光軸と垂直な方向への移動量（ＹT）は、以下に示すとおりである。
実施例１    ０．２８５ｍｍ
実施例２    ０．２８５ｍｍ
実施例３    ０．３１８ｍｍ
実施例４    ０．３９２ｍｍ
実施例５    ０．２８５ｍｍ
実施例６    ０．２８５ｍｍ
実施例７    ０．２８３ｍｍ
実施例８    ０．２７８ｍｍ
実施例９    ０．２７５ｍｍ
実施例１０  ０．２７６ｍｍ
実施例１１  ０．２８８ｍｍ
【０１５２】
撮影距離が∞で望遠端において、ズームレンズ系が約０．３°だけ傾いた場合の像偏心量は、第３レンズ群Ｇ３全体が光軸と垂直な方向に上記の各値だけ平行移動するときの像偏心量に等しい。
【０１５３】
各横収差図から明らかなように、軸上像点における横収差の対称性は良好であることがわかる。また、＋７５％像点における横収差と−７５％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、約０．３°までの像ぶれ補正角に対して、結像特性を低下させることなく充分な像ぶれ補正を行うことが可能である。
【０１５４】
（数値実施例１）
数値実施例１のズームレンズ系は、図１に示した実施の形態１に対応する。数値実施例１のズームレンズ系の面データを表１に、非球面データを表２に、各種データを表３に示す。
【０１５５】
表  １（面データ）
面番号         r           d           nd         vd
物面             ∞
1        156.31700     1.25000     1.90366    31.3 
2         58.66400     0.01000     1.56732    42.8 
3         58.66400     4.10500     1.48749    70.4 
4       -372.71800     0.15000 
5         59.13900     3.18100     1.49700    81.6 
6        514.42900     0.15000 
7         34.99500     3.43100     1.49700    81.6 
8         95.59400        可変
9*      5000.00000     1.20000     1.80470    41.0 
10*         7.36200     4.63700 
11        -21.17200     0.70000     1.77250    49.6 
12         25.97500     0.01000     1.56732    42.8 
13         25.97500     1.22500     1.94595    18.0 
14         72.48200     0.16000 
15         20.66800     1.48400     1.92286    20.9 
16         87.78800        可変
17(絞り)           ∞        可変
18               ∞     1.20000
19*        14.64500     1.77200     1.58332    59.1 
20        -54.55300     4.25400 
21         20.58900     1.53600     1.60311    60.7 
22        -27.81900     0.01000     1.56732    42.8 
23        -27.81900     0.70000     1.80610    33.3 
24         14.18800     0.55200 
25        119.99400     1.37500     1.49700    81.6 
26        -17.32100        可変
27         20.41100     2.16300     1.60311    60.7 
28        -25.37100     0.01000     1.56732    42.8 
29        -25.37100     0.60000     1.71736    29.5 
30       -143.24700        可変
31               ∞     0.90000     1.51680    64.2
32               ∞        (BF)
像面             ∞
【０１５６】
表  ２（非球面データ）
第9面
K= 0.00000E+00, A4= 1.92281E-04, A6=-4.38768E-06, A8= 6.19331E-08
A10=-5.38323E-10, A12= 1.99361E-12, A14= 0.00000E+00, A16= 0.00000E+00 
第10面
K= 5.81002E-02, A4= 1.30724E-04, A6=-3.47611E-07, A8=-2.18393E-07
A10= 8.34604E-09, A12=-1.51391E-10, A14= 0.00000E+00, A16= 0.00000E+00 
第19面
K= 0.00000E+00, A4=-7.27276E-05, A6= 2.36358E-07, A8= 5.49604E-09
A10=-4.41183E-10, A12=-8.74528E-12, A14=-1.14363E-13, A16= 1.02006E-14 
【０１５７】
表  ３（各種データ）
ズーム比    22.91734
広角      中間      望遠
焦点距離       4.6380   22.0088  106.2908
Ｆナンバー     2.90330   3.62516   5.40231
画角        41.6646   10.0144    2.0889
像高         3.7000    3.9000    3.9000
レンズ全長     87.6999  100.1865  122.7196
ＢＦ        0.90304   0.90118   0.86601
d8           0.5323   24.3690   40.8201 
d16         30.5211    7.0845    2.0424 
d17          3.0000    1.9555    0.0000 
d26          8.0500   13.2546   33.9200 
d30          7.9285   15.8567    8.3061 
入射瞳位置     19.4690   84.4166  294.0880
射出瞳位置    -76.4784 -130.8178  129.1892
前側主点位置   23.8290  102.7479  488.4201
後側主点位置   83.0619   78.1777   16.4288
単レンズデータ
レンズ     始面     焦点距離
1         1     -104.5527
2         3      104.2993
3         5      134.1378
4         7      109.0259
5         9       -9.1632
6        11      -15.0025
7        13       42.2548
8        15       28.9842
9        19       19.9813
10        21       19.8554
11        23      -11.5700
12        25       30.5567
13        27       19.0941
14        29      -43.0710
ズームレンズ群データ
群   始面    焦点距離  レンズ構成長    前側主点位置  後側主点位置
1      1    60.39003    12.27700         3.98674       8.15095
2      9    -8.45757     9.41600         0.77846       2.87442
3     18    20.01853    11.39900         1.65454       3.40510
4     27    33.34560     2.77300         0.08121       1.14312
ズームレンズ群倍率
群   始面    広角       中間       望遠
1      1    0.00000    0.00000    0.00000
2      9   -0.18190   -0.37326   -1.36240
3     18   -0.63160   -2.26659   -1.96257
4     27    0.66848    0.43078    0.65827
【０１５８】
（数値実施例２）
数値実施例２のズームレンズ系は、図４に示した実施の形態２に対応する。数値実施例２のズームレンズ系の面データを表４に、非球面データを表５に、各種データを表６に示す。
【０１５９】
表  ４（面データ）
面番号         r           d           nd         vd
物面             ∞
1        107.23500     1.25000     1.90366    31.3 
2         48.05300     0.01000     1.56732    42.8 
3         48.05300     3.79800     1.49700    81.6 
4        302.94800     0.15000 
5         54.79100     3.65100     1.49700    81.6 
6       1311.14800     0.15000 
7         39.30700     3.01900     1.61800    63.4 
8         99.99900        可変
9*      5000.00000     1.20000     1.80470    41.0 
10*         7.36200     4.63700 
11        -21.17200     0.70000     1.77250    49.6 
12         25.97500     0.01000     1.56732    42.8 
13         25.97500     1.22500     1.94595    18.0 
14         72.48200     0.16000 
15         20.66800     1.48400     1.92286    20.9 
16         87.78800        可変
17(絞り)           ∞        可変
18               ∞     1.20000
19*        14.64500     1.77200     1.58332    59.1 
20        -54.55300     4.25400 
21         20.58900     1.53600     1.60311    60.7 
22        -27.81900     0.01000     1.56732    42.8 
23        -27.81900     0.70000     1.80610    33.3 
24         14.18800     0.55200 
25        119.99400     1.37500     1.49700    81.6 
26        -17.32100        可変
27         20.41100     2.16300     1.60311    60.7 
28        -25.37100     0.01000     1.56732    42.8 
29        -25.37100     0.60000     1.71736    29.5 
30       -143.24700        可変
31               ∞     0.90000     1.51680    64.2
32               ∞        (BF)
像面             ∞
【０１６０】
表  ５（非球面データ）
第9面
K= 0.00000E+00, A4= 1.92281E-04, A6=-4.38768E-06, A8= 6.19331E-08
A10=-5.38323E-10, A12= 1.99361E-12, A14= 0.00000E+00, A16= 0.00000E+00 
第10面
K= 5.81002E-02, A4= 1.30724E-04, A6=-3.47611E-07, A8=-2.18393E-07
A10= 8.34604E-09, A12=-1.51391E-10, A14= 0.00000E+00, A16= 0.00000E+00 
第19面
K= 0.00000E+00, A4=-7.27276E-05, A6= 2.36358E-07, A8= 5.49604E-09
A10=-4.41183E-10, A12=-8.74528E-12, A14=-1.14363E-13, A16= 1.02006E-14 
【０１６１】
表  ６（各種データ）
ズーム比    22.90280
広角      中間      望遠
焦点距離       4.6354   21.9723  106.1637
Ｆナンバー     2.90109   3.62194   5.39936
画角        42.2474   10.0323    2.0911
像高         3.7000    3.9000    3.9000
レンズ全長     87.4264   99.9719  122.4670
ＢＦ        0.90296   0.90121   0.85835
d8           0.5323   24.3690   40.8201 
d16         30.4721    7.0851    2.0424 
d17          3.0000    1.9555    0.0000 
d26          8.0784   13.2978   33.9457 
d30          7.9246   15.8473    8.2845 
入射瞳位置     19.1005   83.7617  292.5899
射出瞳位置    -76.7289 -131.6422  128.9499
前側主点位置   23.4591  102.0916  486.7433
後側主点位置   82.7910   77.9996   16.3033
単レンズデータ
レンズ     始面     焦点距離
1         1      -97.3284
2         3      114.3484
3         5      114.9410
4         7      102.8426
5         9       -9.1632
6        11      -15.0025
7        13       42.2548
8        15       28.9842
9        19       19.9813
10        21       19.8554
11        23      -11.5700
12        25       30.5567
13        27       19.0941
14        29      -43.0710
ズームレンズ群データ
群   始面    焦点距離  レンズ構成長    前側主点位置  後側主点位置
1      1    60.24484    12.02800         3.83093       8.04131
2      9    -8.45757     9.41600         0.77846       2.87442
3     18    20.01853    11.39900         1.65454       3.40510
4     27    33.34560     2.77300         0.08121       1.14312
ズームレンズ群倍率
群   始面    広角       中間       望遠
1      1    0.00000    0.00000    0.00000
2      9   -0.18192   -0.37335   -1.36368
3     18   -0.63258   -2.26623   -1.96049
4     27    0.66860    0.43106    0.65914
【０１６２】
（数値実施例３）
数値実施例３のズームレンズ系は、図７に示した実施の形態３に対応する。数値実施例３のズームレンズ系の面データを表７に、非球面データを表８に、各種データを表９に示す。
【０１６３】
表  ７（面データ）
面番号         r           d           nd         vd
物面             ∞
1        113.04500     1.25000     1.84666    23.8 
2         58.96400     0.01000     1.56732    42.8 
3         58.96400     3.01700     1.48749    70.4 
4        365.26800     0.15000 
5         70.63000     2.85500     1.49700    81.6 
6      -1906.80800     0.15000 
7         40.29400     2.41800     1.60311    60.7 
8         86.00300        可変
9*      7105.29000     1.20000     1.80470    41.0 
10*         7.62200     4.76600 
11        -21.52000     0.70000     1.80420    46.5 
12         23.99800     0.01000     1.56732    42.8 
13         23.99800     1.23900     1.94595    18.0 
14         69.27700     0.15000 
15         20.26700     1.42300     1.92286    20.9 
16         84.53100        可変
17(絞り)           ∞        可変
18               ∞     1.20000
19*        14.49200     1.68900     1.58332    59.1 
20        -56.29200     4.11500 
21         21.10400     1.46800     1.60311    60.7 
22        -29.32200     0.01000     1.56732    42.8 
23        -29.32200     0.70000     1.80610    33.3 
24         14.10100     0.71700 
25        208.73500     1.38500     1.49700    81.6 
26        -16.42600        可変
27         22.38700     1.91400     1.60311    60.7 
28        -40.00700     0.01000     1.56732    42.8 
29        -40.00700     0.60000     1.71736    29.5 
30      -1568.87500        可変
31               ∞     0.90000     1.51680    64.2
32               ∞        (BF)
像面             ∞
【０１６４】
表  ８（非球面データ）
第9面
K=-1.58027E+06, A4= 2.32838E-04, A6=-4.96964E-06, A8= 7.39225E-08
A10=-7.11133E-10, A12= 2.94909E-12, A14= 1.76121E-15, A16=-2.81543E-17 
第10面
K=-5.50006E-03, A4= 2.23488E-04, A6=-1.14647E-07, A8=-1.47148E-07
A10= 7.89097E-09, A12=-1.45562E-10, A14= 1.95815E-13, A16=-4.69388E-17 
第19面
K= 0.00000E+00, A4=-7.27236E-05, A6=-7.85554E-08, A8= 1.05470E-08
A10= 1.71459E-10, A12=-2.50985E-11, A14= 0.00000E+00, A16= 0.00000E+00 
【０１６５】
表  ９（各種データ）
ズーム比    28.47445
広角      中間      望遠
焦点距離       4.6352   24.7190  131.9861
Ｆナンバー     2.91051   3.83626   5.74370
画角        42.2270    8.9267    1.6814
像高         3.7000    3.9020    3.9020
レンズ全長     88.0569  103.6410  128.1503
ＢＦ        0.89549   0.90991   0.91436
d8           0.4634   27.2351   46.0997 
d16         32.7163    7.0706    2.0016 
d17          3.0000    1.9555    0.0000 
d26          8.3736   13.4977   37.6116 
d30          8.5621   18.9262    7.4770 
入射瞳位置     17.4542   88.2495  349.6938
射出瞳位置    -60.7248  -92.2902  276.1474
前側主点位置   21.7408  106.4125  544.9728
後側主点位置   83.4216   78.9220   -3.8358
単レンズデータ
レンズ     始面     焦点距離
1         1     -147.1328
2         3      143.7742
3         5      137.1032
4         7      123.2528
5         9       -9.4827
6        11      -14.0121
7        13       38.3056
8        15       28.5832
9        19       19.9328
10        21       20.5726
11        23      -11.7279
12        25       30.7021
13        27       24.0787
14        29      -57.2385
ズームレンズ群データ
群   始面    焦点距離  レンズ構成長    前側主点位置  後側主点位置
1      1    65.15474     9.85000         2.80316       6.21741
2      9    -8.52111     9.48800         0.86544       2.99307
3     18    20.33308    11.28400         1.74413       3.33879
4     27    40.62462     2.52400        -0.11067       0.86697
ズームレンズ群倍率
群   始面    広角       中間       望遠
1      1    0.00000    0.00000    0.00000
2      9   -0.16491   -0.34221   -1.41174
3     18   -0.60608   -2.42952   -1.94421
4     27    0.71180    0.45633    0.73805
【０１６６】
（数値実施例４）
数値実施例４のズームレンズ系は、図１０示した実施の形態４に対応する。数値実施例４のズームレンズ系の面データを表１０、非球面データを表１１に、各種データを表１２に示す。
【０１６７】
表  １０（面データ）
面番号         r           d           nd         vd
物面             ∞
1        109.53300     1.25000     1.85026    32.3 
2         47.16100     0.01000     1.56732    42.8 
3         47.16100     3.53900     1.49700    81.6 
4        256.15000     0.15000 
5         56.40500     3.45100     1.49700    81.6 
6      -1968.13000     0.15000 
7         40.44300     2.47200     1.61800    63.3 
8         91.89600        可変
9*       982.47800     1.20000     1.80470    41.0 
10*         7.77300     4.63600 
11        -19.80800     0.70000     1.80420    46.5 
12         19.26500     0.01000     1.56732    42.8 
13         19.26500     1.36600     1.92286    20.9 
14         71.21600     0.15000 
15         21.25900     1.40900     1.92286    20.9 
16         93.16000        可変
17(絞り)           ∞        可変
18               ∞     1.20000
19*        14.06300     1.77900     1.58332    59.1 
20        -62.97900     3.97400 
21         22.99000     1.38500     1.60311    60.7 
22        -32.57200     0.01000     1.56732    42.8 
23        -32.57200     0.70000     1.80610    33.3 
24         14.20000     0.64800 
25        291.32900     1.34800     1.49700    81.6 
26        -16.75700        可変
27*        23.03500     2.04400     1.60602    57.4 
28        -29.52000     0.01000     1.56732    42.8 
29        -29.52000     0.60000     1.71736    29.5 
30       -144.35200        可変
31               ∞     0.90000     1.51680    64.2
32               ∞        (BF)
像面             ∞
【０１６８】
表  １１（非球面データ）
第9面
K= 0.00000E+00, A4= 1.86712E-04, A6=-4.24505E-06, A8= 7.40316E-08
A10=-7.95536E-10, A12= 3.30152E-12 
第10面
K= 0.00000E+00, A4= 1.81554E-04, A6=-7.75409E-07, A8=-1.18559E-07
A10= 9.97285E-09, A12=-1.88872E-10 
第19面
K= 0.00000E+00, A4=-7.74497E-05, A6= 8.13240E-08, A8= 1.67999E-09
A10= 0.00000E+00, A12= 0.00000E+00 
第27面
K= 0.00000E+00, A4= 1.88527E-06, A6= 4.48423E-08, A8=-7.98155E-10
A10= 0.00000E+00, A12= 0.00000E+00 
【０１６９】
表  １２（各種データ）
ズーム比    36.95533
広角      中間      望遠
焦点距離       4.6001   24.7213  169.9977
Ｆナンバー     2.93660   3.72365   6.30451
画角        43.5354    8.9679    1.3020
像高         3.7000    3.9000    3.9000
レンズ全長     90.6746  104.9486  125.5890
ＢＦ        0.88159   0.87858   0.94354
d8           0.4162   27.0211   45.3610 
d16         33.5559    7.5227    2.0021 
d17          3.0000    2.0000    0.0000 
d26          8.8581   13.0528   41.1415 
d30          8.8718   19.3824    1.0499 
入射瞳位置     18.3241   92.9561  402.1464
射出瞳位置    -69.4818 -102.5788  126.7285
前側主点位置   22.6234  111.7702  801.8949
後側主点位置   86.0745   80.2273  -44.4086
単レンズデータ
レンズ     始面     焦点距離
1         1      -98.3116
2         3      115.6552
3         5      110.3921
4         7      114.7740
5         9       -9.7419
6        11      -12.0480
7        13       28.2599
8        15       29.5690
9        19       19.8770
10        21       22.5580
11        23      -12.1862
12        25       31.9290
13        27       21.6683
14        29      -51.8427
ズームレンズ群データ
群   始面    焦点距離  レンズ構成長    前側主点位置  後側主点位置
1      1    62.59525    11.02200         3.60322       7.42795
2      9    -8.39998     9.47100         0.97025       3.17950
3     18    21.06330    11.04400         1.38556       3.09868
4     27    36.46034     2.65400         0.11917       1.13807
ズームレンズ群倍率
群   始面    広角       中間       望遠
1      1    0.00000    0.00000    0.00000
2      9   -0.17068   -0.37152   -1.96723
3     18   -0.63822   -2.75079   -1.55558
4     27    0.67464    0.38645    0.88747
【０１７０】
（数値実施例５）
数値実施例５のズームレンズ系は、図１３に示した実施の形態５に対応する。数値実施例５のズームレンズ系の面データを表１３に、非球面データを表１４に、各種データを表１５に示す。
【０１７１】
表  １３（面データ）
面番号         r           d           nd         vd
物面             ∞
1        156.41700     1.25000     1.90366    31.3 
2         58.76800     0.01000     1.56732    42.8 
3         58.76800     4.09700     1.48749    70.4 
4       -373.32600     0.15000 
5         59.44300     3.20600     1.49700    81.6 
6        546.96400     0.15000 
7         35.10200     3.44400     1.49700    81.6 
8         95.81900        可変
9*      5000.00000     1.20000     1.80470    41.0 
10*         7.35900     4.63700 
11        -21.16200     0.70000     1.77250    49.6 
12         25.73700     0.01000     1.56732    42.8 
13         25.73700     1.22500     1.94595    18.0 
14         74.25200     0.16000 
15         20.62500     1.48400     1.92286    20.9 
16         84.47600        可変
17(絞り)           ∞     1.20000
18*        14.60800     1.77200     1.58332    59.1 
19        -54.74100     4.25400 
20         20.62400     1.53600     1.60311    60.7 
21        -27.84500     0.01000     1.56732    42.8 
22        -27.84500     0.70000     1.80610    33.3 
23         14.19600     0.55200 
24        131.70600     1.37500     1.49700    81.6 
25        -17.08300        可変
26         20.38800     2.16300     1.60311    60.7 
27        -25.57000     0.01000     1.56732    42.8 
28        -25.57000     0.60000     1.71736    29.5 
29       -140.69100        可変
30*       241.96900     1.28000     1.51680    64.2 
31         69.18000     0.50000 
32               ∞     0.50000     1.51680    64.2
33               ∞        (BF)
像面             ∞
【０１７２】
表  １４（非球面データ）
第9面
K= 0.00000E+00, A4= 1.92281E-04, A6=-4.38768E-06, A8= 6.19331E-08
A10=-5.38323E-10, A12= 1.99361E-12, A14= 0.00000E+00, A16= 0.00000E+00 
第10面
K= 5.81002E-02, A4= 1.31353E-04, A6=-3.76307E-07, A8=-2.12284E-07
A10= 8.32103E-09, A12=-1.51984E-10, A14= 0.00000E+00, A16= 0.00000E+00 
第18面
K= 0.00000E+00, A4=-7.13421E-05, A6= 2.82399E-08, A8= 6.52635E-09
A10=-6.61170E-11, A12= 4.26966E-12, A14=-2.39792E-13, A16=-4.42031E-14 
第30面
K= 0.00000E+00, A4= 2.32128E-05, A6= 1.75846E-06, A8= 8.39016E-09
A10= 0.00000E+00, A12= 0.00000E+00, A14= 0.00000E+00, A16= 0.00000E+00 
【０１７３】
表  １５（各種データ）
ズーム比    22.88062
広角      中間      望遠
焦点距離       4.6361   22.0631  106.0758
Ｆナンバー     2.91195   3.88567   5.40696
画角        41.9027   10.0339    2.1038
像高         3.7000    3.9000    3.9000
レンズ全長     88.1993  100.0846  122.9798
ＢＦ        0.40002   0.40555   0.37983
d8           0.5323   24.4244   40.8105 
d16         33.7145    8.9172    2.0424 
d25          8.1474   12.7980   33.8268 
d29          7.2301   15.3645    7.7453 
入射瞳位置     19.6588   86.1059  293.3612
射出瞳位置    -39.7318  -61.3480  391.0088
前側主点位置   23.7593  100.2863  428.2421
後側主点位置   83.5633   78.0215   16.9040
単レンズデータ
レンズ     始面     焦点距離
1         1     -104.8093
2         3      104.4810
3         5      133.8952
4         7      109.3999
5         9       -9.1595
6        11      -14.9361
7        13       41.1364
8        15       29.2419
9        18       19.9556
10        20       19.8824
11        22      -11.5781
12        24       30.5196
13        26       19.1472
14        28      -43.6568
15        30     -187.9320
ズームレンズ群データ
群   始面    焦点距離  レンズ構成長    前側主点位置  後側主点位置
1      1    60.43141    12.30700         3.99032       8.16447
2      9    -8.45575     9.41600         0.77982       2.87922
3     17    19.99232    11.39900         1.66747       3.40962
4     26    33.17594     2.77300         0.08753       1.14913
5     30  -187.93197     2.28000         1.18474       1.78908
ズームレンズ群倍率
群   始面    広角       中間       望遠
1      1    0.00000    0.00000    0.00000
2      9   -0.18176   -0.37367   -1.35448
3     17   -0.62634   -2.28626   -1.96713
4     26    0.67068    0.42533    0.65576
5     30    1.00474    1.00477    1.00463
【０１７４】
（数値実施例６）
数値実施例６のズームレンズ系は、図１６に示した実施の形態６に対応する。数値実施例６のズームレンズ系の面データを表１６に、非球面データを表１７に、各種データを表１８に示す。
【０１７５】
表  １６（面データ）
面番号         r           d           nd         vd
物面             ∞
1        104.61900     1.25000     1.90366    31.3 
2         47.61200     0.15000 
3         49.44700     4.17300     1.49700    81.6 
4        338.85600     0.15000 
5         48.88100     3.73500     1.49700    81.6 
6        398.15600     0.15000 
7         41.86800     3.01900     1.61800    63.4 
8        115.23900        可変
9*      5000.00000     1.20000     1.80470    41.0 
10*         7.36200     4.63700 
11        -21.17200     0.70000     1.77250    49.6 
12         25.97500     0.01000     1.56732    42.8 
13         25.97500     1.22500     1.94595    18.0 
14         72.48200     0.16000 
15         20.66800     1.48400     1.92286    20.9 
16         87.78800        可変
17(絞り)           ∞        可変
18               ∞     1.20000
19*        14.64500     1.77200     1.58332    59.1 
20        -54.55300     4.25400 
21         20.58900     1.53600     1.60311    60.7 
22        -27.81900     0.01000     1.56732    42.8 
23        -27.81900     0.70000     1.80610    33.3 
24         14.18800     0.55200 
25        119.99400     1.37500     1.49700    81.6 
26        -17.32100        可変
27         20.41100     2.16300     1.60311    60.7 
28        -25.37100     0.01000     1.56732    42.8 
29        -25.37100     0.60000     1.71736    29.5 
30       -143.24700        可変
31               ∞     0.90000     1.51680    64.2
32               ∞        (BF)
像面             ∞
【０１７６】
表  １７（非球面データ）
第9面
K= 0.00000E+00, A4= 1.92281E-04, A6=-4.38768E-06, A8= 6.19331E-08
A10=-5.38323E-10, A12= 1.99361E-12, A14= 0.00000E+00, A16= 0.00000E+00 
第10面
K= 5.81002E-02, A4= 1.30724E-04, A6=-3.47611E-07, A8=-2.18393E-07
A10= 8.34604E-09, A12=-1.51391E-10, A14= 0.00000E+00, A16= 0.00000E+00 
第19面
K= 0.00000E+00, A4=-7.27276E-05, A6= 2.36358E-07, A8= 5.49604E-09
A10=-4.41183E-10, A12=-8.74528E-12, A14=-1.14363E-13, A16= 1.02006E-14 
【０１７７】
表  １８（各種データ）
ズーム比    22.89781
広角      中間      望遠
焦点距離       4.6333   21.9607  106.0913
Ｆナンバー     2.90109   3.62191   5.39869
画角        42.2842   10.0382    2.0923
像高         3.7000    3.9000    3.9000
レンズ全長     88.0254  100.5710  123.0811
ＢＦ        0.90298   0.90127   0.85940
d8           0.5323   24.3690   40.8201 
d16         30.4721    7.0851    2.0424 
d17          3.0000    1.9555    0.0000 
d26          8.0784   13.2973   33.9527 
d30          7.9246   15.8478    8.2915 
入射瞳位置     19.5348   84.1319  292.6968
射出瞳位置    -76.7289 -131.6330  128.8721
前側主点位置   23.8915  102.4537  486.7120
後側主点位置   83.3921   78.6103   16.9898
単レンズデータ
レンズ     始面     焦点距離
1         1      -97.7099
2         3      115.9351
3         5      111.7205
4         7      104.7606
5         9       -9.1632
6        11      -15.0025
7        13       42.2548
8        15       28.9842
9        19       19.9813
10        21       19.8554
11        23      -11.5700
12        25       30.5567
13        27       19.0941
14        29      -43.0710
ズームレンズ群データ
群   始面    焦点距離  レンズ構成長    前側主点位置  後側主点位置
1      1    60.22134    12.62700         4.30622       8.66737
2      9    -8.45757     9.41600         0.77846       2.87442
3     18    20.01853    11.39900         1.65454       3.40510
4     27    33.34560     2.77300         0.08121       1.14312
ズームレンズ群倍率
群   始面    広角       中間       望遠
1      1    0.00000    0.00000    0.00000
2      9   -0.18191   -0.37329   -1.36290
3     18   -0.63258   -2.26636   -1.96176
4     27    0.66860    0.43104    0.65890
【０１７８】
（数値実施例７）
数値実施例７のズームレンズ系は、図１９に示した実施の形態７に対応する。数値実施例７のズームレンズ系の面データを表１９に、非球面データを表２０に、各種データを表２１に示す。
【０１７９】
表  １９（面データ）
面番号         r           d           nd         vd
物面             ∞
1        107.15200     1.25000     1.90366    31.3 
2         48.42800     0.01000     1.56732    42.8 
3         48.42800     3.79800     1.49700    81.6 
4        311.17900     0.15000 
5         54.08300     3.65100     1.49700    81.6 
6        934.64400     0.15000 
7         39.31700     3.01900     1.61800    63.4 
8         98.25900        可変
9*      5000.00000     1.20000     1.80470    41.0 
10*         7.11300     4.63700 
11        -24.91200     0.70000     1.77250    49.6 
12         23.17600     0.10300 
13         16.09900     2.11200     1.92286    20.9 
14       -388.78300        可変
15(絞り)           ∞        可変
16               ∞     1.20000
17*        14.53200     1.77200     1.58332    59.1 
18        -54.34400     4.25400 
19         20.88000     1.53600     1.60311    60.7 
20        -28.07900     0.01000     1.56732    42.8 
21        -28.07900     0.70000     1.80610    33.3 
22         14.14300     0.55200 
23        119.27700     1.37500     1.49700    81.6 
24        -17.01800        可変
25         20.05000     2.16300     1.60311    60.7 
26        -24.43400     0.01000     1.56732    42.8 
27        -24.43400     0.60000     1.71736    29.5 
28       -146.69200        可変
29               ∞     0.90000     1.51680    64.2
30               ∞        (BF)
像面             ∞
【０１８０】
表  ２０（非球面データ）
第9面
K= 0.00000E+00, A4= 1.59193E-04, A6=-3.81840E-06, A8= 5.83992E-08
A10=-5.32862E-10, A12= 1.96699E-12, A14= 0.00000E+00, A16= 0.00000E+00 
第10面
K=-2.39582E-01, A4= 1.91906E-04, A6= 2.11530E-06, A8=-2.54312E-07
A10= 1.07548E-08, A12=-1.55202E-10, A14= 0.00000E+00, A16= 0.00000E+00 
第17面
K= 0.00000E+00, A4=-6.95929E-05, A6= 5.03545E-07, A8=-1.06117E-07
A10= 5.80529E-09, A12= 1.06580E-10, A14=-1.81560E-11, A16= 3.92363E-13 
【０１８１】
表  ２１（各種データ）
ズーム比    22.89878
広角      中間      望遠
焦点距離       4.6352   22.0851  106.1415
Ｆナンバー     2.90149   3.56092   5.39910
画角        42.2938    9.9964    2.0897
像高         3.7000    3.9000    3.9000
レンズ全長     87.2697   98.1923  121.0461
ＢＦ        0.91469   0.90666   0.87891
d8           0.5323   24.3690   40.8201 
d14         31.0706    6.7854    2.0424 
d15          3.0000    1.9555    0.0000 
d24          8.4185   12.3842   33.8505 
d28          7.4816   15.9395    7.6022 
入射瞳位置     19.0708   83.0059  287.4201
射出瞳位置    -81.0564 -118.8008  125.6596
前側主点位置   23.4439  101.0165  483.8481
後側主点位置   82.6344   76.1071   14.9046
単レンズデータ
レンズ     始面     焦点距離
1         1      -98.7842
2         3      114.8495
3         5      115.3443
4         7      104.0223
5         9       -8.8529
6        11      -15.4442
7        13       16.7931
8        17       19.8444
9        19       20.0927
10        21      -11.5823
11        23       30.0669
12        25       18.6006
13        27      -40.9522
ズームレンズ群データ
群   始面    焦点距離  レンズ構成長    前側主点位置  後側主点位置
1      1    60.35382    12.02800         3.76744       7.97948
2      9    -8.56611     8.75200         0.65651       2.39886
3     16    19.90096    11.39900         1.68319       3.41457
4     25    33.06596     2.77300         0.06616       1.12866
ズームレンズ群倍率
群   始面    広角       中間       望遠
1      1    0.00000    0.00000    0.00000
2      9   -0.18402   -0.37713   -1.36782
3     16   -0.61521   -2.29460   -1.90243
4     25    0.67840    0.42285    0.67584
【０１８２】
（数値実施例８）
数値実施例８のズームレンズ系は、図２２に示した実施の形態８に対応する。数値実施例８のズームレンズ系の面データを表２２に、非球面データを表２３に、各種データを表２４に示す。
【０１８３】
表  ２２（面データ）
面番号         r           d           nd         vd
物面             ∞
1        155.96400     1.25000     1.90366    31.3 
2         58.97000     0.01000     1.56732    42.8 
3         58.97000     4.09700     1.48749    70.4 
4       -384.48300     0.15000 
5         58.83600     3.20600     1.49700    81.6 
6        484.12800     0.15000 
7         34.50500     3.44400     1.49700    81.6 
8         91.19800        可変
9*      5000.00000     1.20000     1.80470    41.0 
10*         7.40700     4.63700 
11        -20.99100     0.70000     1.77250    49.6 
12         25.05900     0.01000     1.56732    42.8 
13         25.05900     1.22500     1.94595    18.0 
14         71.58700     0.16000 
15         20.55600     1.48400     1.92286    20.9 
16         83.83100        可変
17(絞り)           ∞     1.20000
18*        14.40000     1.77200     1.58332    59.1 
19        -56.81900     3.65300 
20         20.56900     1.53600     1.60311    60.7 
21        -28.25000     0.01000     1.56732    42.8 
22        -28.25000     0.70000     1.80610    33.3 
23         14.20000     0.55200 
24        203.51700     1.37500     1.49700    81.6 
25        -16.39400        可変
26         20.74700     2.16300     1.60311    60.7 
27        -24.83200     0.01000     1.56732    42.8 
28        -24.83200     0.60000     1.71736    29.5 
29       -132.33500        可変
30               ∞     0.78000     1.51680    64.2
31               ∞        (BF)
像面             ∞
【０１８４】
表  ２３（非球面データ）
第9面
K= 0.00000E+00, A4= 1.92281E-04, A6=-4.38768E-06, A8= 6.19331E-08
A10=-5.38323E-10, A12= 1.99361E-12, A14= 0.00000E+00, A16= 0.00000E+00 
第10面
K= 5.81002E-02, A4= 1.42092E-04, A6=-6.20390E-07, A8=-1.89571E-07
A10= 7.66126E-09, A12=-1.41926E-10, A14= 0.00000E+00, A16= 0.00000E+00 
第18面
K= 0.00000E+00, A4=-7.37751E-05, A6=-1.80497E-07, A8= 7.21600E-09
A10= 2.49759E-10, A12= 1.93501E-11, A14= 2.16158E-14, A16=-1.01692E-13 
【０１８５】
表  ２４（各種データ）
ズーム比    22.89578
広角      中間      望遠
焦点距離       4.6338   22.0471  106.0956
Ｆナンバー     2.89777   3.84034   5.48947
画角        42.0388   10.0328    2.0942
像高         3.7000    3.9000    3.9000
レンズ全長     87.6153   99.0527  123.3491
ＢＦ        0.90075   0.90140   0.88723
d8           0.5323   24.5469   40.6658 
d16         33.5403    8.7735    2.0424 
d25          8.6948   12.4808   35.3910 
d29          7.8732   16.2761    8.2887 
入射瞳位置     19.6987   86.8104  288.1402
射出瞳位置    -48.9053  -80.6629  123.9126
前側主点位置   23.9014  102.8981  485.7313
後側主点位置   82.9815   77.0056   17.2536
単レンズデータ
レンズ     始面     焦点距離
1         1     -105.5775
2         3      105.1992
3         5      134.4239
4         7      109.4743
5         9       -9.2193
6        11      -14.6893
7        13       40.2434
8        15       29.1819
9        18       19.8771
10        20       19.9718
11        22      -11.6374
12        24       30.5905
13        26       19.0822
14        28      -42.7113
ズームレンズ群データ
群   始面    焦点距離  レンズ構成長    前側主点位置  後側主点位置
1      1    60.54860    12.30700         3.93100       8.10866
2      9    -8.44718     9.41600         0.80378       2.91809
3     17    19.88603    10.79800         1.68831       3.42499
4     26    33.54470     2.77300         0.10090       1.16188
ズームレンズ群倍率
群   始面    広角       中間       望遠
1      1    0.00000    0.00000    0.00000
2      9   -0.18140   -0.37456   -1.31300
3     17   -0.62495   -2.28974   -2.01257
4     26    0.67508    0.42456    0.66310
【０１８６】
（数値実施例９）
数値実施例９のズームレンズ系は、図２５に示した実施の形態９に対応する。数値実施例９のズームレンズ系の面データを表２５に、非球面データを表２６に、各種データを表２７に示す。
【０１８７】
表  ２５（面データ）
面番号         r           d           nd         vd
物面             ∞
1         85.07870     1.25000     1.85026    32.3 
2         41.00590     0.01000     1.56732    42.8 
3         41.00590     5.42800     1.49700    81.6 
4       -328.62180     0.15000 
5         37.67390     3.38380     1.61800    63.3 
6        148.14250        可変
7*       144.20950     1.20000     1.80470    41.0 
8*         6.98270     4.71520 
9        -20.40630     0.70000     1.80420    46.5 
10         22.39200     0.01000     1.56732    42.8 
11         22.39200     1.48800     1.92286    20.9 
12        284.04750     0.15000 
13         19.83400     1.26970     1.92286    20.9 
14         50.26500        可変
15(絞り)           ∞        可変
16               ∞     1.20000
17*        13.16500     1.78470     1.58332    59.1 
18        -95.97400     4.17500 
19         25.78230     1.25600     1.62299    58.1 
20        -41.39910     0.01000     1.56732    42.8 
21        -41.39910     0.70000     1.80610    33.3 
22         12.98770     0.50030 
23         32.25670     1.55680     1.49700    81.6 
24        -19.02050        可変
25*        20.57810     2.17340     1.60602    57.4 
26        -27.60800     0.01000     1.56732    42.8 
27        -27.60800     0.60000     1.71736    29.5 
28       -537.51790        可変
29               ∞     0.90000     1.51680    64.2
30               ∞        (BF)
像面             ∞
【０１８８】
表  ２６（非球面データ）
第7面
K= 0.00000E+00, A4= 1.26112E-04, A6=-2.71189E-06, A8= 4.34753E-08
A10=-5.03943E-10, A12= 2.35625E-12 
第8面
K= 0.00000E+00, A4= 8.02387E-05, A6=-4.12155E-06, A8= 7.28579E-08
A10= 1.69321E-09, A12=-1.30855E-10 
第17面
K= 0.00000E+00, A4=-7.67770E-05, A6= 1.28170E-07, A8=-5.38040E-09
A10= 0.00000E+00, A12= 0.00000E+00 
第25面
K= 0.00000E+00, A4= 4.78494E-06, A6=-9.75613E-08, A8= 2.23885E-09
A10= 0.00000E+00, A12= 0.00000E+00 
【０１８９】
表  ２７（各種データ）
ズーム比    27.01766
広角      中間      望遠
焦点距離       4.6013   23.9175  124.3159
Ｆナンバー     2.90078   4.03218   6.10179
画角        42.2179    9.2416    1.7832
像高         3.7000    3.9000    3.9000
レンズ全長     87.8570  106.8325  133.9636
ＢＦ        0.89068   0.87548   0.83660
d6           0.2360   24.9248   45.8360 
d14         31.7890    6.0540    2.1719 
d15          3.0000    2.0000    0.0000 
d24         10.3343   21.4906   43.6032 
d28          6.9861   16.8667    6.8950 
入射瞳位置     16.9423   74.4790  315.4150
射出瞳位置    -80.8651 -407.6236  114.1388
前側主点位置   21.2847   96.9961  576.1314
後側主点位置   83.2557   82.9150    9.6477
単レンズデータ
レンズ     始面     焦点距離
1         1      -94.3284
2         3       73.7134
3         5       80.8056
4         7       -9.1546
5         9      -13.1799
6        11       26.2684
7        13       34.8027
8        17       19.9670
9        19       25.6866
10        21      -12.1942
11        23       24.3200
12        25       19.7919
13        27      -40.5892
ズームレンズ群データ
群   始面    焦点距離  レンズ構成長    前側主点位置  後側主点位置
1      1    65.88241    10.22180         3.12458       6.76741
2      7    -8.45031     9.53290         0.80527       2.91143
3     16    20.02995    11.18280         1.94797       3.48394
4     25    37.24691     2.78340        -0.11952       0.95879
ズームレンズ群倍率
群   始面    広角       中間       望遠
1      1    0.00000    0.00000    0.00000
2      7   -0.15963   -0.29915   -1.15183
3     16   -0.60463   -2.64536   -2.25182
4     25    0.72361    0.45874    0.72751
【０１９０】
（数値実施例１０）
数値実施例１０のズームレンズ系は、図２８に示した実施の形態１０に対応する。数値実施例１０のズームレンズ系の面データを表２８に、非球面データを表２９に、各種データを表３０に示す。
【０１９１】
表  ２８（面データ）
面番号         r           d           nd         vd
物面             ∞
1         84.78900     1.25000     1.85026    32.3 
2         40.90700     0.44000 
3         41.19200     5.42800     1.49700    81.6 
4       -318.81500     0.15000 
5         37.55500     3.38400     1.61800    63.3 
6        145.93000        可変
7*       192.24100     1.20000     1.80470    41.0 
8*         7.08800     4.71500 
9        -20.46600     0.70000     1.80420    46.5 
10         22.64200     0.01000     1.56732    42.8 
11         22.64200     1.48800     1.92286    20.9 
12        297.56200     0.15000 
13         20.01400     1.27000     1.92286    20.9 
14         50.67700        可変
15(絞り)           ∞        可変
16               ∞     1.20000
17*        13.16700     1.78500     1.58332    59.1 
18        -96.02100     4.17500 
19         25.75900     1.25600     1.62299    58.1 
20        -41.29900     0.01000     1.56732    42.8 
21        -41.29900     0.70000     1.80610    33.3 
22         12.98300     0.50000 
23         30.87100     1.55700     1.49700    81.6 
24        -19.55700        可変
25*        20.52300     2.17300     1.60602    57.4 
26        -27.46700     0.01000     1.56732    42.8 
27        -27.46700     0.60000     1.71736    29.5 
28       -447.82400        可変
29               ∞     0.90000     1.51680    64.2
30               ∞        (BF)
像面             ∞
【０１９２】
表  ２９（非球面データ）
第7面
K= 0.00000E+00, A4= 1.22132E-04, A6=-2.75188E-06, A8= 4.30462E-08
A10=-5.07521E-10, A12= 2.38412E-12 
第8面
K= 0.00000E+00, A4= 7.78501E-05, A6=-3.68569E-06, A8= 5.45056E-08
A10= 1.51117E-09, A12=-1.25842E-10 
第17面
K= 0.00000E+00, A4=-7.71179E-05, A6= 1.26485E-07, A8=-3.07776E-09
A10= 0.00000E+00, A12= 0.00000E+00 
第25面
K= 0.00000E+00, A4= 3.06600E-06, A6=-4.34242E-08, A8= 2.31791E-09
A10= 0.00000E+00, A12= 0.00000E+00 
【０１９３】
表  ３０（各種データ）
ズーム比    27.02966
広角      中間      望遠
焦点距離       4.5997   23.9200  124.3283
Ｆナンバー     2.89948   3.92751   6.08852
画角        43.3785    9.2546    1.7833
像高         3.7000    3.9000    3.9000
レンズ全長     88.1372  106.9576  134.0428
ＢＦ        0.87936   0.87402   0.85955
d6           0.2360   25.3951   45.8431 
d14         31.5951    5.9834    2.1719 
d15          3.0000    2.0000    0.0000 
d24         10.3872   20.6588   43.4677 
d28          6.9885   16.9953    6.6496 
入射瞳位置     17.2213   76.3258  314.9490
射出瞳位置    -82.8083 -351.6128  110.4927
前側主点位置   21.5682   98.6226  580.2705
後側主点位置   83.5375   83.0376    9.7146
単レンズデータ
レンズ     始面     焦点距離
1         1      -94.1936
2         3       73.7677
3         5       80.8622
4         7       -9.1720
5         9      -13.2707
6        11       26.4864
7        13       35.1436
8        17       19.9708
9        19       25.6488
10        21      -12.1837
11        23       24.3390
12        25       19.7196
13        27      -40.8152
ズームレンズ群データ
群   始面    焦点距離  レンズ構成長    前側主点位置  後側主点位置
1      1    65.49301    10.65200         3.84303       7.50332
2      7    -8.45515     9.53300         0.80095       2.91091
3     16    20.03702    11.18300         1.92268       3.47326
4     25    36.81685     2.78300        -0.10232       0.97500
ズームレンズ群倍率
群   始面    広角       中間       望遠
1      1    0.00000    0.00000    0.00000
2      7   -0.15998   -0.30532   -1.16701
3     16   -0.60883   -2.66174   -2.22583
4     25    0.72107    0.44942    0.73082
【０１９４】
（数値実施例１１）
数値実施例１１のズームレンズ系は、図３１に示した実施の形態１１に対応する。数値実施例１１のズームレンズ系の面データを表３１に、非球面データを表３２に、各種データを表３３に示す。
【０１９５】
表  ３１（面データ）
面番号        r             d          nd        vd
物面 ∞
1       109.64000     1.25000     1.90366     31.3
2        46.69500     0.01000     1.56732     42.8
3        46.69500     3.90100     1.48749     70.4
4       304.54100     0.15000 
5        53.09700     3.65100     1.49700     81.6
6              ∞     0.15000
7        39.66000     3.01900     1.61800     63.4
8       101.97500        可変
9*     5000.00000     1.20000     1.80470     41.0
10*        7.12800     4.63700
11       -23.77900     0.70000     1.77250     49.6 
12        24.25200     0.08500
13        16.49600     2.09000     1.92286     20.9 
14      -244.76600        可変
15(絞り)         ∞        可変
16              ∞     1.20000
17*       14.16500     1.77200     1.58332     59.1 
18       -64.37600     4.25400
19        21.59200     1.53600     1.60311     60.7 
20       -29.17000     0.01000     1.56732     42.8 
21       -29.17000     0.70000     1.80610     33.3 
22        14.09100     0.55200
23        94.80000     1.37500     1.49700     81.6 
24       -16.81300        可変
25        20.20200     2.16300     1.60311     60.7 
26       -24.28400     0.01000     1.56732     42.8 
27       -24.28400     0.60000     1.71736     29.5 
28      -131.65100        可変
29              ∞     0.90000     1.51680     64.2 
30              ∞        (BF)
像面            ∞
【０１９６】
表  ３２（非球面データ）
第9面
K= 0.00000E+00, A4= 1.52329E-04, A6=-3.63781E-06, A8= 5.69081E-08 
A10=-5.40762E-10, A12= 2.06397E-12, A14= 0.00000E+00, A16= 0.00000E+00
第10面
K=-1.21767E-01, A4= 1.44503E-04, A6= 5.94662E-07, A8=-2.13992E-07 
A10= 9.91029E-09, A12=-1.64082E-10, A14= 0.00000E+00, A16= 0.00000E+00
第17面
K= 0.00000E+00, A4=-6.59273E-05, A6= 3.95252E-08, A8=-1.12415E-07 
A10= 6.62729E-09, A12= 1.50793E-10, A14=-1.79226E-11, A16= 2.59787E-13
【０１９７】
表  ３３（各種データ）
ズーム比     23.19790 
広角        中間         望遠
焦点距離       4.6372     22.1319     107.5734
Ｆナンバー     2.90309     3.53224      5.41392 
画角        42.2149      9.9460       2.0590
像高         3.7000      3.9000       3.9000
レンズ全長     87.5034     98.0566     120.9621 
ＢＦ        0.91668     0.91053      0.47108
d8          0.5323     24.3690      40.8201 
d14         31.0530      6.5733       2.0424
d15          3.0000      1.9555       0.0000
d24          8.5033     12.0958      34.1437
d28          7.5831     16.2375       7.5698
入射瞳位置     19.0563     82.5555     288.6094 
射出瞳位置    -84.7929   -119.0057     117.4687 
前側主点位置   23.4426    100.6027     495.0911 
後側主点位置   82.8662     75.9248      13.3887 
単レンズデータ
レンズ     始面       焦点距離
1          1         -90.8631 
2          3         112.5751 
3          5         106.8356 
4          7         103.1107 
5          9          -8.8716 
6         11         -15.4444 
7         13          16.8108 
8         17          20.0707 
9         19          20.8097 
10         21         -11.7022
11         23          28.8513
12         25          18.6257
13         27         -41.6056
ズームレンズ群データ
群    始面     焦点距離   レンズ構成長    前側主点位置     後側主点位置
1       1      59.96048       12.13100        4.08706          8.31921
2       9      -8.59155        8.71200        0.64817          2.36851
3      16      20.03633       11.39900        1.76436          3.44532
4      25      32.76519        2.77300        0.09552          1.15659
ズームレンズ群倍率
群    始面       広角       中間       望遠
1       1     0.00000    0.00000    0.00000 
2       9    -0.18526   -0.38117   -1.41103 
3      16    -0.62017   -2.36648   -1.85035 
4      25     0.67314    0.40920    0.68715
【０１９８】
以下の表３４に、各数値実施例のズームレンズ系における各条件の対応値を示す。ただし表３４中、ＹWは、
ＹW：広角端での全系の焦点距離ｆWにおける、第３レンズ群の、最大ぶれ補正時の光軸に対して垂直方向への移動量
を示し、ズームレンズ系が広角端の状態のとき、すなわち条件式（９）においてＹ＝ＹW（ｆ＝ｆW）のときの対応値（ＹW／ＹT）／（ｆW／ｆT）を求めた。
【０１９９】
表  ３４（条件の対応値）
【表１】
0005530868.tif 000003
【表２】
0005530868.tif 000004
【産業上の利用可能性】
【０２００】
本発明に係るズームレンズ系は、デジタルカメラ、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等のデジタル入力装置に適用可能であり、特にデジタルカメラ等の高画質が要求される撮影光学系に好適である。
【符号の説明】
【０２０１】
Ｇ１    第１レンズ群
Ｇ２    第２レンズ群
Ｇ３    第３レンズ群
Ｇ４    第４レンズ群
Ｇ５    第５レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
Ｌ１５  第１５レンズ素子
Ａ      開口絞り
Ｐ      平行平板
Ｓ      像面
１      ズームレンズ系
２      撮像素子
３      液晶モニタ
４      筐体
５      主鏡筒
６      移動鏡筒
７      円筒カム
【図１】
0005530868.tif 000005
【図２】
0005530868.tif 000006
【図３】
0005530868.tif 000007
【図４】
0005530868.tif 000008
【図５】
0005530868.tif 000009
【図６】
0005530868.tif 000010
【図７】
0005530868.tif 000011
【図８】
0005530868.tif 000012
【図９】
0005530868.tif 000013
【図１０】
0005530868.tif 000014
【図１１】
0005530868.tif 000015
【図１２】
0005530868.tif 000016
【図１３】
0005530868.tif 000017
【図１４】
0005530868.tif 000018
【図１５】
0005530868.tif 000019
【図１６】
0005530868.tif 000020
【図１７】
0005530868.tif 000021
【図１８】
0005530868.tif 000022
【図１９】
0005530868.tif 000023
【図２０】
0005530868.tif 000024
【図２１】
0005530868.tif 000025
【図２２】
0005530868.tif 000026
【図２３】
0005530868.tif 000027
【図２４】
0005530868.tif 000028
【図２５】
0005530868.tif 000029
【図２６】
0005530868.tif 000030
【図２７】
0005530868.tif 000031
【図２８】
0005530868.tif 000032
【図２９】
0005530868.tif 000033
【図３０】
0005530868.tif 000034
【図３１】
0005530868.tif 000035
【図３２】
0005530868.tif 000036
【図３３】
0005530868.tif 000037
【図３４】
0005530868.tif 000038